(57)【要約】  ポーラ符号化技法におけるパリティビットについてのチャネル選択をサポートするワイヤレス通信のための方法、システム、および装置について説明する。場合によっては、ワイヤレスデバイスのエンコーダまたはデコーダは、信頼度メトリックに基づいてエンコーダまたはデコーダのポーラチャネルに情報ビット、凍結ビット、およびパリティ検査ビットを割り当ててもよい。情報ビットが最初に割り当てられてもよく、第1の情報ビットのチャネルインデックスに基づいて、パリティ検査ビットが、第1の情報ビットよりも大きいチャネルインデックスを有するチャネルに割り当てられてもよい。割当て後に、ビットは符号化または復号されてもよい。
2020515143.tif 000002
【特許請求の範囲】
【請求項１】
ワイヤレス通信のための方法であって、
符号化のための情報ビットのセットおよびパリティ検査ビットのセットを特定するステップと、
ポーラチャネルのセットについてのそれぞれの信頼度メトリックに少なくとも部分的に基づいて、前記ポーラチャネルの前記セットから、前記情報ビットの前記セットにおける第1の情報ビット用の第1のポーラチャネルを決定するステップと、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定するステップであって、前記第2のポーラチャネルのチャネルインデックスが、前記第1のポーラチャネルの前記チャネルインデックスよりも大きい、ステップと、
前記第1のポーラチャネルおよび前記第2のポーラチャネルに少なくとも部分的に基づいて少なくとも前記第1の情報ビットおよび前記第1のパリティ検査ビットを符号化するステップと、
前記符号化された第1の情報ビットおよび前記第1のパリティ検査ビットを備える符号語を送信するステップとを含む方法。
【請求項２】
前記第2のポーラチャネルを決定するステップは、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットのサブセットから前記第2のポーラチャネルを選択するステップを含む、請求項1に記載の方法。
【請求項３】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項2に記載の方法。
【請求項４】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項2に記載の方法。
【請求項５】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項2に記載の方法。
【請求項６】
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定するステップと、
前記それぞれのチャネルに少なくとも部分的に基づいて各パリティ検査ビットを符号化するステップとをさらに含む、請求項1に記載の方法。
【請求項７】
前記それぞれのチャネルの各インデックスは、前記第1のポーラチャネルの前記チャネルインデックスよりも大きい、請求項6に記載の方法。
【請求項８】
前記ポーラチャネルの前記セットにおける第3のチャネルに関連する信頼度メトリックは、前記第2のポーラチャネルに関連する信頼度メトリックよりも大きい、請求項1に記載の方法。
【請求項９】
ワイヤレス通信のための方法であって、
情報ビットのセットおよびパリティ検査ビットのセットを備える符号語を受信するステップと、
ポーラチャネルのセットについてのそれぞれの信頼度メトリックに少なくとも部分的に基づいて、前記ポーラチャネルの前記セットから、前記情報ビットの前記セットにおける第1の情報ビットに割り当てられる第1のポーラチャネルを決定するステップと、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定するステップであって、前記第2のポーラチャネルのチャネルインデックスが、前記第1のポーラチャネルの前記チャネルインデックスよりも大きい、ステップと、
前記第1のポーラチャネルおよび前記第2のポーラチャネルに少なくとも部分的に基づいて少なくとも前記第1の情報ビットおよび前記第1のパリティ検査ビットを復号するステップとを含む方法。
【請求項１０】
前記第2のポーラチャネルを決定するステップは、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットのサブセットから前記第2のポーラチャネルを選択するステップを含む、請求項9に記載の方法。
【請求項１１】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項10に記載の方法。
【請求項１２】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項10に記載の方法。
【請求項１３】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項10に記載の方法。
【請求項１４】
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定するステップと、
前記それぞれのチャネルに少なくとも部分的に基づいて各パリティ検査ビットを復号するステップとをさらに含む、請求項9に記載の方法。
【請求項１５】
前記それぞれのチャネルの各インデックスは、前記第1のポーラチャネルの前記チャネルインデックスよりも大きい、請求項14に記載の方法。
【請求項１６】
前記ポーラチャネルの前記セットにおける第3のチャネルに関連する信頼度メトリックは、前記第2のポーラチャネルに関連する信頼度メトリックよりも大きい、請求項9に記載の方法。
【請求項１７】
ワイヤレス通信のための装置であって、
符号化のための情報ビットのセットおよびパリティ検査ビットのセットを特定するための手段と、
ポーラチャネルのセットについてのそれぞれの信頼度メトリックに少なくとも部分的に基づいて、前記ポーラチャネルの前記セットから、前記情報ビットの前記セットにおける第1の情報ビット用の第1のポーラチャネルを決定するための手段と、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定するための手段であって、前記第2のポーラチャネルのチャネルインデックスが、前記第1のポーラチャネルの前記チャネルインデックスよりも大きい手段と、
前記第1のポーラチャネルおよび前記第2のポーラチャネルに少なくとも部分的に基づいて少なくとも前記第1の情報ビットおよび前記第1のパリティ検査ビットを符号化するための手段と、
前記符号化された第1の情報ビットおよび前記第1のパリティ検査ビットを備える符号語を送信するための手段とを備える装置。
【請求項１８】
前記第2のポーラチャネルを決定するための前記手段は、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットの前記サブセットから前記第2のポーラチャネルを選択するための手段を備える、請求項17に記載の装置。
【請求項１９】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項18に記載の装置。
【請求項２０】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項18に記載の装置。
【請求項２１】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項18に記載の装置。
【請求項２２】
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定するための手段と、
前記それぞれのチャネルに少なくとも部分的に基づいて各パリティ検査ビットを符号化するための手段とをさらに含む、請求項17に記載の装置。
【請求項２３】
前記それぞれのチャネルの各インデックスは、前記第1のポーラチャネルの前記チャネルインデックスよりも大きい、請求項22に記載の装置。
【請求項２４】
前記ポーラチャネルの前記セットにおける第3のチャネルに関連する信頼度メトリックは、前記第2のポーラチャネルに関連する信頼度メトリックよりも大きい、請求項17に記載の装置。
【請求項２５】
ワイヤレス通信のための装置であって、
情報ビットのセットおよびパリティ検査ビットのセットを備える符号語を受信するための手段と、
ポーラチャネルのセットについてのそれぞれの信頼度メトリックに少なくとも部分的に基づいて、前記ポーラチャネルの前記セットから、前記情報ビットの前記セットにおける第1の情報ビットに割り当てられる第1のポーラチャネルを決定するための手段と、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定するための手段であって、前記第2のポーラチャネルのチャネルインデックスが、前記第1のポーラチャネルの前記チャネルインデックスよりも大きい手段と、
前記第1のポーラチャネルおよび前記第2のポーラチャネルに少なくとも部分的に基づいて少なくとも前記第1の情報ビットおよび前記第1のパリティ検査ビットを復号するための手段とを備える装置。
【請求項２６】
前記第2のポーラチャネルを決定するための前記手段は、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットの前記サブセットから前記第2のポーラチャネルを選択するための手段を備える、請求項25に記載の装置。
【請求項２７】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項26に記載の装置。
【請求項２８】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項26に記載の装置。
【請求項２９】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項26に記載の装置。
【請求項３０】
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定するための手段と、
前記それぞれのチャネルに少なくとも部分的に基づいて各パリティ検査ビットを復号するための手段とをさらに含む、請求項25に記載の装置。
【請求項３１】
前記それぞれのチャネルの各インデックスは、前記第1のポーラチャネルの前記チャネルインデックスよりも大きい、請求項30に記載の装置。
【請求項３２】
前記ポーラチャネルの前記セットにおける第3のチャネルに関連する信頼度メトリックは、前記第2のポーラチャネルに関連する信頼度メトリックよりも大きい、請求項25に記載の装置。
【請求項３３】
システムにおけるワイヤレス通信のための装置であって、
プロセッサと、
前記プロセッサと電子通信するメモリと、
前記メモリに記憶された命令であって、前記プロセッサによって実行されたときに、前記装置に
符号化のための情報ビットのセットおよびパリティ検査ビットのセットを特定することと、
ポーラチャネルのセットについてのそれぞれの信頼度メトリックに少なくとも部分的に基づいて、前記ポーラチャネルの前記セットから、前記情報ビットの前記セットにおける第1の情報ビット用の第1のポーラチャネルを決定することと、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定することであって、前記第2のポーラチャネルのチャネルインデックスが、前記第1のポーラチャネルの前記チャネルインデックスよりも大きい、決定することと、
前記第1のポーラチャネルおよび前記第2のポーラチャネルに少なくとも部分的に基づいて少なくとも前記第1の情報ビットおよび前記第1のパリティ検査ビットを符号化することと、
前記符号化された第1の情報ビットおよび前記第1のパリティ検査ビットを備える符号語を送信することとを行わせるように動作可能な命令とを備える装置。
【請求項３４】
前記命令は、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットのサブセットから前記第2のポーラチャネルを選択することを行うように前記プロセッサによってさらに実行可能である、請求項33に記載の装置。
【請求項３５】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項34に記載の装置。
【請求項３６】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項34に記載の装置。
【請求項３７】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項34に記載の装置。
【請求項３８】
前記命令は、
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定することと、
前記それぞれのチャネルに少なくとも部分的に基づいて各パリティ検査ビットを符号化することとを行うように前記プロセッサによってさらに実行可能である、請求項33に記載の装置。
【請求項３９】
前記それぞれのチャネルの各インデックスは、前記第1のポーラチャネルの前記チャネルインデックスよりも大きい、請求項38に記載の装置。
【請求項４０】
前記ポーラチャネルの前記セットにおける第3のチャネルに関連する信頼度メトリックは、前記第2のポーラチャネルに関連する信頼度メトリックよりも大きい、請求項33に記載の装置。
【請求項４１】
システムにおけるワイヤレス通信のための装置であって、
プロセッサと、
前記プロセッサと電子通信するメモリと、
前記メモリに記憶された命令であって、前記プロセッサによって実行されたときに、前記装置に
情報ビットのセットおよびパリティ検査ビットのセットを備える符号語を受信することと、
ポーラチャネルのセットについてのそれぞれの信頼度メトリックに少なくとも部分的に基づいて、前記ポーラチャネルの前記セットから、前記情報ビットの前記セットにおける第1の情報ビットに割り当てられる第1のポーラチャネルを決定することと、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定することであって、前記第2のポーラチャネルのチャネルインデックスが、前記第1のポーラチャネルの前記チャネルインデックスよりも大きい、決定することと、
前記第1のポーラチャネルおよび前記第2のポーラチャネルに少なくとも部分的に基づいて少なくとも前記第1の情報ビットおよび前記第1のパリティ検査ビットを復号することとを行わせるように動作可能である装置。
【請求項４２】
前記命令は、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットのサブセットから前記第2のポーラチャネルを選択することを行うように前記プロセッサによってさらに実行可能である、請求項41に記載の装置。
【請求項４３】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項42に記載の装置。
【請求項４４】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項42に記載の装置。
【請求項４５】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項42に記載の装置。
【請求項４６】
前記命令は、
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定することと、
前記それぞれのチャネルに少なくとも部分的に基づいて各パリティ検査ビットを復号することとを行うように前記プロセッサによってさらに実行可能である、請求項41に記載の装置。
【請求項４７】
前記それぞれのチャネルの各インデックスは、前記第1のポーラチャネルの前記チャネルインデックスよりも大きい、請求項46に記載の装置。
【請求項４８】
前記ポーラチャネルの前記セットにおける第3のチャネルに関連する信頼度メトリックは、前記第2のポーラチャネルに関連する信頼度メトリックよりも大きい、請求項41に記載の装置。
【請求項４９】
ワイヤレス通信のためのコードを記憶する非一時的コンピュータ可読記憶媒体であって、前記コードは、
符号化のための情報ビットのセットおよびパリティ検査ビットのセットを特定することと、
ポーラチャネルのセットについてのそれぞれの信頼度メトリックに少なくとも部分的に基づいて、前記ポーラチャネルの前記セットから、前記情報ビットの前記セットにおける第1の情報ビット用の第1のポーラチャネルを決定することと、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定することであって、前記第2のポーラチャネルのチャネルインデックスが、前記第1のポーラチャネルの前記チャネルインデックスよりも大きい、決定することと、
前記第1のポーラチャネルおよび前記第2のポーラチャネルに少なくとも部分的に基づいて少なくとも前記第1の情報ビットおよび前記第1のパリティ検査ビットを符号化することと、
前記符号化された第1の情報ビットおよび前記第1のパリティ検査ビットを備える符号語を送信することとを行うようにコンピュータによって実行可能な命令を含む非一時的コンピュータ可読記憶媒体。
【請求項５０】
前記命令は、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットのサブセットから前記第2のポーラチャネルを選択することを行うように前記プロセッサによってさらに実行可能である、請求項49に記載の非一時的コンピュータ可読記憶媒体。
【請求項５１】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項50に記載の非一時的コンピュータ可読記憶媒体。
【請求項５２】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項50に記載の非一時的コンピュータ可読記憶媒体。
【請求項５３】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項50に記載の非一時的コンピュータ可読記憶媒体。
【請求項５４】
前記命令は、
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定することと、
前記それぞれのチャネルに少なくとも部分的に基づいて各パリティ検査ビットを符号化することとを行うように前記プロセッサによってさらに実行可能である、請求項49に記載の非一時的コンピュータ可読記憶媒体。
【請求項５５】
前記それぞれのチャネルの各インデックスは、前記第1のポーラチャネルの前記チャネルインデックスよりも大きい、請求項54に記載の非一時的コンピュータ可読記憶媒体。
【請求項５６】
前記ポーラチャネルの前記セットにおける第3のチャネルに関連する信頼度メトリックは、前記第2のポーラチャネルに関連する信頼度メトリックよりも大きい、請求項49に記載の非一時的コンピュータ可読記憶媒体。
【請求項５７】
ワイヤレス通信のためのコードを記憶する非一時的コンピュータ可読記憶媒体であって、前記コードは、
情報ビットのセットおよびパリティ検査ビットのセットを備える符号語を受信することと、
ポーラチャネルのセットについてのそれぞれの信頼度メトリックに少なくとも部分的に基づいて、前記ポーラチャネルの前記セットから、前記情報ビットの前記セットにおける第1の情報ビットに割り当てられる第1のポーラチャネルを決定することと、
前記第1のポーラチャネルのチャネルインデックスに少なくとも部分的に基づいて、前記パリティ検査ビットの前記セットにおける第1のパリティ検査ビット用の前記ポーラチャネルの前記セットから第2のポーラチャネルを決定することであって、前記第2のポーラチャネルのチャネルインデックスが、前記第1のポーラチャネルの前記チャネルインデックスよりも大きい、決定することと、
前記第1のポーラチャネルおよび前記第2のポーラチャネルに少なくとも部分的に基づいて少なくとも前記第1の情報ビットおよび前記第1のパリティ検査ビットを復号することとを行うようにプロセッサによって実行可能な命令を含む非一時的コンピュータ可読記憶媒体。
【請求項５８】
前記命令は、
それぞれのチャネルインデックスが前記第1のポーラチャネルの前記チャネルインデックスよりも大きい前記ポーラチャネルの前記セットのサブセットについてのそれぞれの信頼度メトリックを判定し、前記それぞれの信頼度メトリックに少なくとも部分的に基づいて前記ポーラチャネルの前記セットのサブセットから前記第2のポーラチャネルを選択することを行うように前記プロセッサによってさらに実行可能である、請求項57に記載の非一時的コンピュータ可読記憶媒体。
【請求項５９】
前記第2のポーラチャネルは、前記ポーラチャネルの前記セットの前記サブセットにおける少なくとも1つの他のチャネルに関連する第2の信頼度メトリックよりも大きい第1の信頼度メトリックに関連付けられる、請求項58に記載の非一時的コンピュータ可読記憶媒体。
【請求項６０】
前記パリティ検査ビットの前記セットにおける前記パリティ検査ビットの数は、それぞれのチャネルインデックスが前記第1のポーラチャネルの前記チャネルインデックスよりも大きいチャネルの数の2分の1に相当する、請求項58に記載の非一時的コンピュータ可読記憶媒体。
【請求項６１】
前記パリティ検査ビットの前記セットにおける前記パリティ検査ビットの数は、それぞれのチャネルインデックスが前記第1のポーラチャネルの前記チャネルインデックスよりも大きいチャネルの数以下である、請求項58に記載の非一時的コンピュータ可読記憶媒体。
【請求項６２】
前記命令は、
前記第1のポーラチャネルの前記チャネルインデックスに少なくとも部分的に基づいて、前記パリティ検査ビットの前記セットにおける各パリティ検査ビット用の前記ポーラチャネルの前記セットのそれぞれのチャネルを決定することと、
前記それぞれのチャネルに少なくとも部分的に基づいて各パリティ検査ビットを復号することとを行うように前記プロセッサによってさらに実行可能である、請求項57に記載の非一時的コンピュータ可読記憶媒体。
【請求項６３】
前記それぞれのチャネルの各インデックスは、前記第1のポーラチャネルの前記チャネルインデックスよりも大きい、請求項62に記載の非一時的コンピュータ可読記憶媒体。
【請求項６４】
前記ポーラチャネルの前記セットにおける第3のチャネルに関連する信頼度メトリックは、前記第2のポーラチャネルに関連する信頼度メトリックよりも大きい、請求項57に記載の非一時的コンピュータ可読記憶媒体。
【発明の詳細な説明】
【技術分野】
【０００１】
以下は、概してワイヤレス通信に関し、より詳細には、ポーラ符号化のためのパリティビットチャネル割当てに関する。
【背景技術】
【０００２】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のユーザとの通信をサポートすることが可能である場合がある。そのような多元接続システムの例には、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム、またはニューラジオ(NR)システム)がある。ワイヤレス多元接続通信システムは、場合によってはユーザ機器(UE)として知られていることがある、複数の通信デバイスのための通信を各々が同時にサポートする、いくつかの基地局またはアクセスネットワークノードを含む場合がある。
【０００３】
いくつかのワイヤレス通信システムでは、UEまたは基地局などの送信デバイスは、入力ベクトルの情報ビットを符号化して、送信のための符号語を取得することがある。送信デバイスは、誤り訂正符号またはパリティ検査ビットを使用することがあり、それにより、受信デバイスによって送信誤差が検出または訂正される場合がある。この符号化は、ポーラ符号化を使用して行われることがあり、ポーラ符号化は計算量的に複雑でありリソースを大量に使用する場合があり、したがって、レイテンシ問題が生じたり、または受信された符号語の復号が失敗したりする。
【発明の概要】
【課題を解決するための手段】
【０００４】
説明する技法は、ポーラ符号化のためのパリティビットチャネル割当てをサポートする改良された方法、システム、デバイス、または装置に関する。概して、説明する技法は、ポーラ符号化におけるパリティ検査ビットのための柔軟なポーラチャネル選択(たとえば、ポーラチャネルの数、チャネルインデックス)を可能にする。この技法は、ワイヤレス通信システムにおけるワイヤレスデバイスによって使用されることがあり、それぞれのポーラチャネルに関連する信頼度メトリックに基づいてポーラエンコーダまたはデコーダのポーラチャネルに情報ビット、凍結ビット、および/またはパリティ検査ビットを割り当てることを含む場合がある。複数の情報ビットにおける第1の情報ビットのチャネルインデックスに基づいて、第1の情報ビットのチャネルインデックスよりも高いチャネルインデックスを有するポーラチャネルにパリティ検査ビットが割り当てられてもよい。そのような技法は、ポーラ符号化プロセスにおいて使用されると、より少ない数のパリティ検査ビットを使用し、さらに許容可能なブロック誤り率(BLER)を維持することによって復号性能を向上させることがある。
【０００５】
ワイヤレス通信のための方法について説明する。この方法は、符号化のための情報ビットのセットおよびパリティ検査ビットのセットを特定するステップと、ポーラチャネルのセットについてのそれぞれの信頼度メトリックに少なくとも部分的に基づいて、ポーラチャネルのセットから、情報ビットのセットにおける第1の情報ビット用の第1のチャネルを決定するステップと、第1のチャネルのインデックスに少なくとも部分的に基づいて、パリティ検査ビットのセットにおける第1のパリティ検査ビット用のポーラチャネルのセットから第2のチャネルを決定するステップであって、第2のチャネルのインデックスが、第1のチャネルのインデックスよりも大きい、ステップと、第1のチャネルおよび第2のチャネルに少なくとも部分的に基づいて少なくとも第1の情報ビットおよび第1のパリティ検査ビットを符号化するステップと、符号化された第1の情報ビットおよび第1のパリティ検査ビットを備える符号語を送信するステップとを含んでもよい。
【０００６】
ワイヤレス通信のための装置について説明する。この装置は、符号化のための情報ビットのセットおよびパリティ検査ビットのセットを特定するための手段と、ポーラチャネルのセットについてのそれぞれの信頼度メトリックに少なくとも部分的に基づいて、ポーラチャネルのセットから、情報ビットのセットにおける第1の情報ビット用の第1のチャネルを決定するための手段と、第1のチャネルのインデックスに少なくとも部分的に基づいて、パリティ検査ビットのセットにおける第1のパリティ検査ビット用のポーラチャネルのセットから第2のチャネルを決定するための手段であって、第2のチャネルのインデックスが、第1のチャネルのインデックスよりも大きい手段と、第1のチャネルおよび第2のチャネルに少なくとも部分的に基づいて少なくとも第1の情報ビットおよび第1のパリティ検査ビットを符号化するための手段と、符号化された第1の情報ビットおよび第1のパリティ検査ビットを備える符号語を送信するための手段とを含んでもよい。
【０００７】
ワイヤレス通信のための別の装置について説明する。この装置は、プロセッサと、プロセッサと電子通信するメモリと、メモリに記憶された命令とを含んでもよい。この命令は、プロセッサに、符号化のための情報ビットのセットおよびパリティ検査ビットのセットを特定することと、ポーラチャネルのセットについてのそれぞれの信頼度メトリックに少なくとも部分的に基づいて、ポーラチャネルのセットから、情報ビットのセットにおける第1の情報ビット用の第1のチャネルを決定することと、第1のチャネルのインデックスに少なくとも部分的に基づいて、パリティ検査ビットのセットにおける第1のパリティ検査ビット用のポーラチャネルのセットから第2のチャネルを決定することであって、第2のチャネルのインデックスが、第1のチャネルのインデックスよりも大きい、決定することと、第1のチャネルおよび第2のチャネルに少なくとも部分的に基づいて少なくとも第1の情報ビットおよび第1のパリティ検査ビットを符号化することと、符号化された第1の情報ビットおよび第1のパリティ検査ビットを備える符号語を送信することとを行わせるように動作可能であってもよい。
【０００８】
ワイヤレス通信のための非一時的コンピュータ可読媒体について説明する。この非一時的コンピュータ可読媒体は、プロセッサに、符号化のための情報ビットのセットおよびパリティ検査ビットのセットを特定することと、ポーラチャネルのセットについてのそれぞれの信頼度メトリックに少なくとも部分的に基づいて、ポーラチャネルのセットから、情報ビットのセットにおける第1の情報ビット用の第1のチャネルを決定することと、第1のチャネルのインデックスに少なくとも部分的に基づいて、パリティ検査ビットのセットにおける第1のパリティ検査ビット用のポーラチャネルのセットから第2のチャネルを決定することであって、第2のチャネルのインデックスが、第1のチャネルのインデックスよりも大きい、決定することと、第1のチャネルおよび第2のチャネルに少なくとも部分的に基づいて少なくとも第1の情報ビットおよび第1のパリティ検査ビットを符号化することと、符号化された第1の情報ビットおよび第1のパリティ検査ビットを備える符号語を送信することとを行わせるように動作可能な命令を含んでもよい。
【０００９】
上述の方法、装置、および非一時的コンピュータ可読媒体のいくつかの例では、第2のチャネルを決定することは、それぞれのチャネルインデックスが第1のチャネルのインデックスよりも大きいポーラチャネルのセットのサブセットについてのそれぞれの信頼度メトリックを判定することと、それぞれの信頼度メトリックに少なくとも部分的に基づいてポーラチャネルのセットのサブセットから第2のチャネルを選択することとを含む。
【００１０】
上述の方法、装置、および非一時的コンピュータ可読媒体のいくつかの例では、第2のチャネルは、ポーラチャネルのセットのサブセットにおける少なくとも1つの他のチャネルに関連する第2の信頼度メトリックよりも大きいことがある第1の信頼度メトリックに関連付けられてもよい。
【００１１】
上述の方法、装置、および非一時的コンピュータ可読媒体のいくつかの例では、パリティ検査ビットのセットにおけるパリティ検査ビットの数は、それぞれのチャネルインデックスが第1のチャネルのインデックスよりも大きいチャネルの数の2分の1に相当する。
【００１２】
上述の方法、装置、および非一時的コンピュータ可読媒体のいくつかの例では、パリティ検査ビットのセットにおけるパリティ検査ビットの数は、それぞれのチャネルインデックスが第1のチャネルのインデックスよりも大きいチャネルの数以下であってもよい。
【００１３】
上述の方法、装置、および非一時的コンピュータ可読媒体のいくつかの例は、第1のチャネルのインデックスに少なくとも部分的に基づいて、パリティ検査ビットのセットにおける各パリティ検査ビット用のポーラチャネルのセットにおけるそれぞれのチャネルを決定するためのプロセス、特徴、手段、または命令をさらに含んでもよい。上述の方法、装置、および非一時的コンピュータ可読媒体のいくつかの例は、それぞれのチャネルに少なくとも部分的に基づいて各パリティ検査ビットを符号化するためのプロセス、特徴、手段、または命令をさらに含んでもよい。
【００１４】
上述の方法、装置、および非一時的コンピュータ可読媒体のいくつかの例では、それぞれのチャネルの各インデックスは、第1のチャネルのインデックスより大きくてもよい。
【００１５】
上述の方法、装置、および非一時的コンピュータ可読媒体のいくつかの例では、ポーラチャネルのセットにおける第3のチャネルに関連する信頼度メトリックは、第2のチャネルに関連する信頼度メトリックより大きくてもよい。
【００１６】
ワイヤレス通信のための方法について説明する。この方法は、情報ビットのセットおよびパリティ検査ビットのセットを備える符号語を受信するステップと、ポーラチャネルのセットについてのそれぞれの信頼度メトリックに少なくとも部分的に基づいて、ポーラチャネルのセットから、情報ビットのセットにおける第1の情報ビットに割り当てられる第1のチャネルを決定するステップと、第1のチャネルのインデックスに少なくとも部分的に基づいて、パリティ検査ビットのセットにおける第1のパリティ検査ビット用のポーラチャネルのセットから第2のチャネルを決定するステップであって、第2のチャネルのインデックスが、第1のチャネルのインデックスよりも大きい、ステップと、第1のチャネルおよび第2のチャネルに少なくとも部分的に基づいて少なくとも第1の情報ビットおよび第1のパリティ検査ビットを復号するステップとを含んでもよい。
【００１７】
ワイヤレス通信のための装置について説明する。この装置は、情報ビットのセットおよびパリティ検査ビットのセットを備える符号語を受信するための手段と、ポーラチャネルのセットについてのそれぞれの信頼度メトリックに少なくとも部分的に基づいて、ポーラチャネルのセットから、情報ビットのセットにおける第1の情報ビットに割り当てられる第1のチャネルを決定するための手段と、第1のチャネルのインデックスに少なくとも部分的に基づいて、パリティ検査ビットのセットにおける第1のパリティ検査ビット用のポーラチャネルのセットから第2のチャネルを決定するための手段であって、第2のチャネルのインデックスが、第1のチャネルのインデックスよりも大きい手段と、第1のチャネルおよび第2のチャネルに少なくとも部分的に基づいて少なくとも第1の情報ビットおよび第1のパリティ検査ビットを復号するための手段とを含んでもよい。
【００１８】
ワイヤレス通信のための別の装置について説明する。この装置は、プロセッサと、プロセッサと電子通信するメモリと、メモリに記憶された命令とを含んでもよい。この命令は、プロセッサに、情報ビットのセットおよびパリティ検査ビットのセットを備える符号語を受信することと、ポーラチャネルのセットについてのそれぞれの信頼度メトリックに少なくとも部分的に基づいて、ポーラチャネルのセットから、情報ビットのセットにおける第1の情報ビットに割り当てられる第1のチャネルを決定することと、第1のチャネルのインデックスに少なくとも部分的に基づいて、パリティ検査ビットのセットにおける第1のパリティ検査ビット用のポーラチャネルのセットから第2のチャネルを決定することであって、第2のチャネルのインデックスが、第1のチャネルのインデックスよりも大きい、決定することと、第1のチャネルおよび第2のチャネルに少なくとも部分的に基づいて少なくとも第1の情報ビットおよび第1のパリティ検査ビットを復号することを行わせるように動作可能であってもよい。
【００１９】
ワイヤレス通信のための非一時的コンピュータ可読媒体について説明する。この非一時的コンピュータ可読媒体は、プロセッサに、情報ビットのセットおよびパリティ検査ビットのセットを備える符号語を受信することと、ポーラチャネルのセットについてのそれぞれの信頼度メトリックに少なくとも部分的に基づいて、ポーラチャネルのセットから、情報ビットのセットにおける第1の情報ビットに割り当てられる第1のチャネルを決定することと、第1のチャネルのインデックスに少なくとも部分的に基づいて、パリティ検査ビットのセットにおける第1のパリティ検査ビット用のポーラチャネルのセットから第2のチャネルを決定することであって、第2のチャネルのインデックスが、第1のチャネルのインデックスよりも大きい、決定することと、第1のチャネルおよび第2のチャネルに少なくとも部分的に基づいて少なくとも第1の情報ビットおよび第1のパリティ検査ビットを復号することを行わせるように動作可能な命令を含んでもよい。
【００２０】
上述の方法、装置、および非一時的コンピュータ可読媒体のいくつかの例では、第2のチャネルを決定することは、それぞれのチャネルインデックスが第1のチャネルのインデックスよりも大きいポーラチャネルのセットのサブセットについてのそれぞれの信頼度メトリックを判定することと、それぞれの信頼度メトリックに少なくとも部分的に基づいてポーラチャネルのセットのサブセットから第2のチャネルを選択することとを含む。
【００２１】
上述の方法、装置、および非一時的コンピュータ可読媒体のいくつかの例では、第2のチャネルは、ポーラチャネルのセットのサブセットにおける少なくとも1つの他のチャネルに関連する第2の信頼度メトリックよりも大きいことがある第1の信頼度メトリックに関連付けられてもよい。
【００２２】
上述の方法、装置、および非一時的コンピュータ可読媒体のいくつかの例では、パリティ検査ビットのセットにおけるパリティ検査ビットの数は、それぞれのチャネルインデックスが第1のチャネルのインデックスよりも大きいチャネルの数の2分の1に相当する。
【００２３】
上述の方法、装置、および非一時的コンピュータ可読媒体のいくつかの例では、パリティ検査ビットのセットにおけるパリティ検査ビットの数は、それぞれのチャネルインデックスが第1のチャネルのインデックスよりも大きいチャネルの数以下であってもよい。
【００２４】
上述の方法、装置、および非一時的コンピュータ可読媒体のいくつかの例は、第1のチャネルのインデックスに少なくとも部分的に基づいて、パリティ検査ビットのセットにおける各パリティ検査ビット用のポーラチャネルのセットにおけるそれぞれのチャネルを決定するためのプロセス、特徴、手段、または命令をさらに含んでもよい。上述の方法、装置、および非一時的コンピュータ可読媒体のいくつかの例は、それぞれのチャネルに少なくとも部分的に基づいて各パリティ検査ビットを符号化するためのプロセス、特徴、手段、または命令をさらに含んでもよい。
【００２５】
上述の方法、装置、および非一時的コンピュータ可読媒体のいくつかの例では、それぞれのチャネルの各インデックスは、第1のチャネルのインデックスより大きくてもよい。
【００２６】
上述の方法、装置、および非一時的コンピュータ可読媒体のいくつかの例では、ポーラチャネルのセットにおける第3のチャネルに関連する信頼度メトリックは、第2のチャネルに関連する信頼度メトリックより大きくてもよい。
【図面の簡単な説明】
【００２７】
【図１】本開示の態様による、ポーラ符号化のためのパリティビットチャネル割当てをサポートするワイヤレス通信のためのシステムの例を示す図である。
【図２】本開示の態様による、ポーラ符号化のためのパリティビットチャネル割当てをサポートするワイヤレスデバイスの一例を示す図である。
【図３】本開示の態様による、ポーラ符号化のためのパリティビットチャネル割当てをサポートする例示的なポーラチャネルを示す図である。
【図４】本開示の態様による、ポーラ符号化のためのパリティビットチャネル割当てをサポートするポーラチャネル信頼度プロットの例を示す図である。
【図５】本開示の態様による、ポーラ符号化のためのパリティビットチャネル割当てをサポートするポーラチャネル信頼度プロットの例を示す図である。
【図６】本開示の態様による、ポーラ符号化のためのパリティビットチャネル割当てをサポートするプロセスフローの例を示す図である。
【図７】本開示の態様による、ポーラ符号化のためのパリティビットチャネル割当てをサポートするデバイスのブロック図である。
【図８】本開示の態様による、ポーラ符号化のためのパリティビットチャネル割当てをサポートするデバイスのブロック図である。
【図９】本開示の態様による、ポーラ符号化のためのパリティビットチャネル割当てをサポートするデバイスのブロック図である。
【図１０】本開示の態様による、ポーラ符号化のためのパリティビットチャネル割当てをサポートするワイヤレスデバイスを含むシステムのブロック図である。
【図１１】本開示の態様による、ポーラ符号化のためのパリティビットチャネル割当ての方法を示す図である。
【図１２】本開示の態様による、ポーラ符号化のためのパリティビットチャネル割当ての方法を示す図である。
【発明を実施するための形態】
【００２８】
ワイヤレスチャネルの損失性に起因して、送信デバイス、たとえば、基地局またはユーザ機器(UE)は、受信デバイスが送信誤差を検出し訂正するのを可能にする誤り訂正符号を使用する。誤り訂正符号は、符号化ビットのブロックに冗長性をもたらし、この冗長性を使用して、損失の多いチャネルに起因して破損したビットを訂正することができる。パリティビットチャネルは、誤り訂正のためのポーラ符号化技法において凍結ビットとともに使用されてもよい。パリティ検査ビット値は、符号化すべき情報ビットの値に基づいて動的にかつ確定的に設定される。パリティ検査ビットは、その確定性に起因して、静的な値を有する凍結ビットと同様にポーラ復号を容易にするために使用することができる。この理由で、いくつかのポーラ符号化技法は、パリティ検査ビット動的凍結ビットを使用する。
【００２９】
いくつかの例では、復号の実行を容易にするために、送信すべき符号語の重み分布がパリティ検査ビットを含めることによって最適化されてもよい。他のいくつかの場合には、パリティ検査ビットを使用して、選択された候補経路をより早期に取り除くことを可能にしてもよく、それによって復号性能を向上させてもよい。CRC補助逐次消去リスト(CA-SCL)復号に使用される場合がある巡回冗長検査(CRC)ビットとは異なり、パリティ検査ビットはオーバーヘッドと見なされないことがある。たとえば、場合によっては、パリティ検査ビットは、デコーダにおいて(たとえば、デコーダのプロセッサによって)復号されてもよく、一方、CRCビットについては、符号語の残りの部分を復号した後で復号および/または検証が行われてもよい。場合によっては、パリティ検査ビットの数がCA-SCL復号性能に関与することがある。たとえば、パリティ検査ビットの数が多いほど、CA-SCL復号性能がよりロバストになる。
【００３０】
いくつかの例では、ポーラ符号は、パリティ検査ビット、凍結ビット、CRCビット、もしくは情報ビットのうちの1つを決定するか、またはエンコーダもしくはデコーダのポーラチャネルのセットにおける各ポーラチャネルに割り当てることによって作成される。この割当ては、ポーラチャネルに関連するそれぞれの信頼度メトリックに基づいてもよい。場合によっては、マルチステッププロセスは、ポーラチャネルをその信頼度に応じてソートすること、情報ビットの割当てのために最も信頼度の高いポーラチャネルを選択することを含む。情報ビットのうちの1つまたは複数に関連するチャネルインデックス(たとえば、情報ビットに割り当てられる最も小さいチャネルインデックスまたは情報ビットに割り当てられる最も信頼度の低いチャネルに関連するチャネルインデックス)に基づいて、パリティ検査ビットが割り当てられてもよい。たとえば、エンコーダは、インデックスが第1の情報ビット用のポーラチャネルのチャネルインデックスよりも大きい1つまたは複数のポーラチャネル(たとえば、値'P')を選択してもよい。エンコーダは、パリティ検査ビット用の'P'個のポーラチャネルを選択してもよい。場合によっては、パリティ検査ビットの数'P'は、一定の値(たとえば、2、4、8、16、29、75、116)として選択されてもよい。他のいくつかの場合には、値'P'は、インデックスが、第1の情報ビット用のポーラチャネルのチャネルインデックスよりも大きく、かつ情報ビットとして選択されないポーラチャネルの数の2分の1として選択されてもよい。追加または代替として、'P'としては、インデックスが、第1の情報ビット用のポーラチャネルのチャネルインデックスよりも大きく、かつ情報ビットとして選択されないポーラチャネルの数以下の値が選択されてもよい。いくつかの例では、残りのポーラチャネルがパリティ検査ビットとして選択されることはなく、または情報ビットが凍結ビットとして割り当てられてもよい。
【００３１】
本開示の態様について、最初にワイヤレス通信システムの文脈で説明する。次に、本開示の態様について、ポーラ符号におけるパリティ検査ビット割当てをサポートするデバイス、チャネル、および信頼度プロットを参照しながら説明する。本開示の態様について、ポーラ符号化のためのパリティビットチャネル割当てに関するプロセスフロー、装置図、システム図、およびフローチャートによってさらに図示し、それらを参照しながら説明する。
【００３２】
図1は、本開示の様々な態様による、ワイヤレス通信システム100の一例を示す。ワイヤレス通信システム100は、基地局105と、UE115と、コアネットワーク130とを含む。いくつかの例では、ワイヤレス通信システム100は、ロングタームエボリューション(LTE)/LTEアドバンスト(LTE-A)ネットワーク、またはニューラジオ(NR)ネットワークであってもよい。場合によっては、ワイヤレス通信システム100は、拡張ブロードバンド通信、超高信頼(すなわち、ミッションクリティカル)通信、低レイテンシ通信、および低コストで低複雑度のデバイスとの通信をサポートしてもおよい。UE115または基地局105は、ポーラ符号化をサポートしてもよく、したがって、送信のための符号語を取得する前にビットを符号化するためのエンコーダを実装してもよい。符号語は、受信デバイス(たとえば、UE115または基地局105)において受信されてもよく、デコーダを使用して復号されてもよい。符号化および復号のための技法は、エンコーダまたはデコーダのポーラチャネルに情報ビットを割り当て、次に情報ビットの割当てに基づいてエンコーダまたはデコーダの他のポーラチャネルにパリティ検査ビットを割り当てることを含んでもよい。たとえば、エンコーダは、第1の情報ビット用の割り当てられたチャネルインデックスよりも大きいチャネルインデックスを有するポーラチャネルに1つまたは複数のパリティ検査ビットを割り当ててもよい。
【００３３】
基地局105は、1つまたは複数の基地局アンテナを介してUE115とワイヤレス通信してもよい。各基地局105は、それぞれの地理的カバレージエリア110についての通信カバレージを実現してもよい。ワイヤレス通信システム100において示される通信リンク125は、UE115から基地局105へのアップリンク送信、または基地局105からUE115へのダウンリンク送信を含んでもよい。制御情報およびデータは、様々な技法に従ってアップリンクチャネルまたはダウンリンクチャネル上で多重化されてもよい。制御情報およびデータは、たとえば、時分割多重(TDM)技法、周波数分割多重(FDM)技法、またはハイブリッドTDM-FDM技法を使用して、ダウンリンクチャネル上で多重化されてもよい。いくつかの例では、ダウンリンクチャネルの送信時間間隔(TTI)の間に送信される制御情報は、カスケード方式で異なる制御領域に(たとえば、共通制御領域と1つまたは複数のUE固有制御領域とに)分散されてもよい。
【００３４】
UE115は、ワイヤレス通信システム100全体にわたって分散されてもよく、各UE115は固定されていてもまたはモバイルであってもよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE:Internet of Everything)デバイス、マシンタイプ通信(MTC)デバイス、機器、自動車などであってよい。
【００３５】
場合によっては、UE115はまた、(たとえば、ピアツーピア(P2P)またはデバイスツーデバイス(D2D)プロトコルを使用して)他のUEと直接通信することが可能であってもよい。D2D通信を利用するUE115のグループにおける1つまたは複数は、セルの地理的カバレージエリア110内に位置してもよい。そのようなグループ内の他のUE115は、セルの地理的カバレージエリア110の外にあるか、または別様に基地局105からの送信を受信できない状況にあり得る。いくつかの場合、D2D通信を介して通信するUE115のグループは、各UE115がグループの中の1つ1つの他のUE115に送信する1対多(1:M)システムを利用してもよい。いくつかの場合、基地局105は、D2D通信用のリソースのスケジューリングを容易にする。他の場合には、D2D通信は、基地局105とは無関係に実行される。
【００３６】
MTCデバイスまたはIoTデバイスなど、いくつかのUE115は、低コストまたは低複雑度のデバイスであってもよく、マシンの間の自動化された通信、すなわち、マシンツーマシン(M2M)通信を可能にしてもよい。M2MまたはMTCは、人が介在することなく、デバイスが互いとまたは基地局と通信することを可能するデータ通信技術を指す場合がある。たとえば、M2MまたはMTCは、センサまたはメータを組み込んで情報を測定または捕捉し、その情報を利用することができる中央サーバまたはアプリケーションプログラムにその情報を中継するか、またはプログラムもしくはアプリケーションと対話する人間に情報を提示する、デバイスからの通信を指す場合がある。いくつかのUE115は、情報を収集するように、または機械の自動化された動作を可能にするように設計される場合がある。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００３７】
場合によっては、MTCデバイスは、低減されたピークレートで半二重(一方向)通信を使用して動作してもよい。MTCデバイスはまた、アクティブ通信に関与していないとき、電力節約「ディープスリープ」モードに入るように構成されてもよい。いくつかの場合、MTCまたはIoTデバイスはミッションクリティカル機能をサポートするように設計されることがあり、ワイヤレス通信システムはこれらの機能のために超高信頼性通信を提供するように構成されることがある。
【００３８】
基地局105は、コアネットワーク130と通信し、また互いに通信してもよい。たとえば、基地局105は、バックホールリンク132(たとえば、S1など)を通じてコアネットワーク130とインターフェースしてもよい。基地局105は、バックホールリンク134(たとえば、X2など)を通じて直接、または間接(たとえば、コアネットワーク130を通じて)のいずれかで、互いに通信してもよい。基地局105は、UE115との通信のための無線構成およびスケジューリングを実施してもよく、または基地局コントローラ(図示せず)の制御下で動作してもよい。いくつかの例では、基地局105は、マクロセル、スモールセル、ホットスポットなどであってもよい。基地局105は、発展型ノードB(eノードB)105とも呼ばれてもよい。
【００３９】
基地局105は、S1インターフェースによってコアネットワーク130に接続されてもよい。コアネットワークは発展型パケットコア(EPC)であってもよく、発展型パケットコア(EPC)は、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含んでもよい。MMEは、UE115とEPCとの間のシグナリングを処理する制御ノードであってもよい。すべてのユーザインターネットプロトコル(IP)パケットは、S-GWを通して転送されてもよく、S-GW自体がP-GWに接続されてもよい。P-GWは、IPアドレス割振りならびに他の機能を実現してもよい。P-GWは、ネットワーク事業者のIPサービスに接続されてもよい。事業者のIPサービスは、インターネット、イントラネット、IPマルチメディアサブシステム(IMS)、およびパケット交換(PS)ストリーミングサービス(PSS)を含んでもよい。
【００４０】
コアネットワーク130は、ユーザ認証、アクセス許可、トラッキング、インターネットプロトコル(IP)接続、および他のアクセス機能、ルーティング機能、またはモビリティ機能を提供してもよい。基地局105など、ネットワークデバイスのうちの少なくともいくつかは、アクセスノードコントローラ(ANC)の一例である場合がある、アクセスネットワークエンティティなどの副構成要素を含んでもよい。各アクセスネットワークエンティティは、その各々がスマートラジオヘッド、または送受信ポイント(TRP)の一例であり得る、いくつかの他のアクセスネットワーク送信エンティティを通して、いくつかのUE115と通信し得る。いくつかの構成では、各アクセスネットワークエンティティまたは基地局105の様々な機能が、様々なネットワークデバイス(たとえば、ラジオヘッドおよびアクセスネットワークコントローラ)にわたって分散されること、または単一のネットワークデバイス(たとえば、基地局105)に統合されることがある。
【００４１】
ワイヤレス通信システム100は、700MHz〜2600MHz(2.6GHz)の周波数帯域を使用する超高周波数(UHF)周波数領域において動作してもよい。ただし、いくつかのネットワーク(たとえば、ワイヤレスローカルエリアネットワーク(WLAN))は4GHzもの周波数を使用してもよい。この領域は、波長が約1デシメートルから1メートルの長さに及ぶので、デシメートル帯域と知られていることもある。UHF波は、主に見通し線によって伝搬することがあり、建物および環境的な地物によって遮蔽される場合がある。しかしながら、この波は、屋内に位置するUE115にサービスを提供するのに十分な程度に壁を貫通することがある。UHF波の送信は、スペクトルの高周波(HF)または超高周波(VHF)部分のより低い周波数(および、より長い波)を使用する送信と比較して、より小型のアンテナおよびより短い距離(たとえば、100km未満)によって特徴付けられる。場合によっては、ワイヤレス通信システム100はまた、スペクトルの極高周波(EHF)部分(たとえば、30GHzから300GHzまで)も利用してもよい。この領域は、波長が約1ミリメートルから1センチメートルの長さに及ぶので、ミリメートル帯域として知られていることもある。したがって、EHFアンテナは、UHFアンテナよりもさらに小型であり、より間隔が密であってもよい。場合によっては、これは、UE115内の(たとえば、指向性ビームフォーミングのための)アンテナアレイの使用を容易にする場合がある。しかしながら、EHF送信は、UHF送信よりもさらに大きい大気減衰を受けかつより短い距離に従うことがある。
【００４２】
したがって、ワイヤレス通信システム100は、UE115と基地局105との間のミリ波(mmW)通信をサポートしてもよい。mmW帯域またはEHF帯域において動作するデバイスは、ビームフォーミングを可能にするために複数のアンテナを有してもよい。すなわち、基地局105は、複数のアンテナまたはアンテナアレイを使用して、UE115との指向性通信のためのビームフォーミング動作を行ってもよい。ビームフォーミングは、空間フィルタリングまたは指向性送信と呼ばれることもあり、ビームフォーミングは、アンテナビーム全体をシェーピングし、および/またはターゲットレシーバ(たとえば、UE115)の方向にステアリングするために、トランスミッタ(たとえば、基地局115)において使用されることがある信号処理技法である。これは、特定の角度における送信信号が強め合う干渉を受ける一方で、他の角度における送信信号が弱め合う干渉を受けるように、アンテナアレイ内の要素を組み合わせることによって達成されてもよい。
【００４３】
多入力多出力(MIMO)ワイヤレスシステムは、送信機(たとえば、基地局105)と受信機(たとえば、UE115)との間である送信方式を使用し、送信機と受信機の両方が、複数のアンテナを備える。ワイヤレス通信システム100のいくつかの部分は、ビームフォーミングを使用してもよい。たとえば、基地局105は、基地局105がUE115とのその通信におけるビームフォーミングのために使用する場合があるアンテナポートのいくつかの行および列を有するアンテナアレイを有してもよい。信号は、異なる方向において複数回送信されてもよい(たとえば、各送信は、異なるようにビームフォーミングされてもよい)。mmW受信機(たとえば、UE115)は、同期信号を受信しながら、複数のビーム(たとえば、アンテナサブアレイ)を試みてもよい。
【００４４】
場合によっては、基地局105またはUE115のアンテナは、ビームフォーミングまたはMIMO動作をサポートする場合がある1つまたは複数のアンテナアレイ内に位置してもよい。1つまたは複数の基地局アンテナまたはアンテナアレイは、アンテナタワーなどのアンテナアセンブリにおいて併置されてもよい。場合によっては、基地局105と関連付けられるアンテナまたはアンテナアレイは、多様な地理的位置に位置してもよい。基地局105は、UE115との指向性通信用のビームフォーミング動作を行うために、複数のアンテナまたはアンテナアレイを使用してもよい。
【００４５】
場合によっては、ワイヤレス通信システム100は、階層化プロトコルスタックに従って動作するパケットベースネットワークであってもよい。ユーザプレーンでは、ベアラまたはパケットデータコンバージェンスプロトコル(PDCP:Packet Data Convergence Protocol)レイヤにおける通信は、IPベースであってよい。無線リンク制御(RLC)レイヤは、場合によっては、論理チャネルを介して通信するために、パケットのセグメント化および再アセンブリを実行してもよい。媒体アクセス制御(MAC)レイヤは、優先処理と、トランスポートチャネルへの論理チャネルの多重化とを実行してもよい。MACレイヤはまた、MACレイヤにおける再送信を行ってリンク効率を改善するために、ハイブリッドARQ(HARQ)を使用してもよい。制御プレーンでは、無線リソース制御(RRC)プロトコルレイヤが、ユーザプレーンデータ用の無線ベアラをサポートする、UE115とネットワークデバイスまたはコアネットワーク130との間のRRC接続の確立、構成、および保守を行ってもよい。物理(PHY)レイヤにおいて、トランスポートチャネルが物理チャネルにマッピングされてもよい。
【００４６】
NR共有スペクトルシステムでは、共有無線周波数スペクトル帯域が利用されてもよい。たとえば、NR共有スペクトルは、特に認可スペクトル、共有スペクトル、および無認可スペクトルの任意の組合せを利用してもよい。eCCシンボル持続時間およびサブキャリア間隔の柔軟性によって、複数のスペクトルにわたってeCCを使用することが可能になる場合がある。いくつかの例では、NR共有スペクトルは、特にリソースの動的垂直(たとえば、周波数における)および水平(たとえば、時間における)共有によって、スペクトル利用度およびスペクトル効率を向上させてもよい。
【００４７】
場合によっては、ワイヤレス通信システム100は、認可無線周波数スペクトル帯域と無認可無線周波数スペクトル帯域の両方を利用してもよい。たとえば、ワイヤレス通信システム100は、5GHz産業科学医療(ISM)用帯域などの無認可帯域の中で、LTEライセンス補助アクセス(LTE-LAA)もしくはLTE無認可(LTE U)無線アクセス技術またはNR技術を採用してもよい。無認可無線周波数スペクトル帯域の中で動作するとき、基地局105およびUE115などのワイヤレスデバイスは、データを送信する前にチャネルがクリアであることを保証するために、リッスンビフォアトーク(LBT)プロシージャを採用してもよい。場合によっては、無認可帯域における動作は、認可帯域において動作するCCと連携したCA構成に基づいてもよい。無認可スペクトルにおける動作は、ダウンリンク送信、アップリンク送信、または両方を含んでもよい。無認可スペクトルにおける複信は、周波数分割複信(FDD)、時分割複信(TDD)、または両方の組合せに基づいてもよい。
【００４８】
図2は、本開示の様々な態様による、ポーラ符号化のためのパリティビットチャネル割当てをサポートするデバイス200の例を示す図である。デバイス200は、符号化プロセスまたは復号プロセスを実行する、ワイヤレス通信システム100内の任意のデバイスであってもよい。デバイス200は、たとえば、図1において説明したような、UE115または基地局105であってもよい。
【００４９】
図示のように、デバイス200は、メモリ205と、コーディングマネージャ210と、トランシーバ215とを含む。バス220は、メモリ205をコーディングマネージャ210に接続してもよく、バス225は、コーディングマネージャ210をトランシーバ215に接続してもよい。コーディングマネージャ210は、エンコーダ230とデコーダ235とを含むかまたは実装してもよい。トランシーバ215は、トランスミッタ240とレシーバ245とを含むかまたは実装してもよい。いくつかの事例では、デバイス200は、UE115または基地局105などの別のデバイスに送信すべきデータをメモリ205に記憶してもよい。
【００５０】
デバイス200は、送信プロセスを開始するために、送信のためにデータを(たとえば、入力ベクトルの形で)メモリ205から取り出してもよい。データは、情報ビットの数を含んでもよく、バス220を介してメモリ205からコーディングマネージャ210に供給されてもよい。情報ビットの数は、図示のように値'k'として表されてもよい。エンコーダ230は、情報ビットの数を符号化し、長さ'N'を有する符号語を出力してもよく、長さ'N'はkと異なってもよく、または同じであってもよい。情報ビットとして割り振られないビット(すなわち、N-kビット)は、凍結ビットまたはパリティビットとして割り当てられてもよい。パリティビットは、パリティ検査(PC)ポーラ符号化技法において使用されてもよく、凍結ビットは、エンコーダ230とデコーダ235(すなわち、トランスミッタ240において情報ビットを符号化するエンコーダおよびレシーバにおいて受信された符号語を復号するデコーダ235)の両方に知られている所与の値(0、1など)のビットであってもよい。場合によっては、パリティ検査ビットとして指定されたビットは、情報を記憶するために使用されなくてもよく、または動的凍結ビットであってもよく、それによって、パリティ検査ビットとして選択されたビットが凍結ビットとして再割当てされてもよい。さらに、受信デバイスの観点からすると、デバイス200は、符号化されたデータをレシーバ245を介して受信し、デコーダ235を使用して、符号化されたデータを復号して、送信されるデータを得てもよい。
【００５１】
エンコーダ230は、いくつかの符号化技法を使用して、符号化された出力に冗長性をもたらすことがある送信のためのデータを符号化してもよい。たとえば、誤り訂正符号は、符号ブロックに冗長性をもたらすために使用されてもよく、それによって、送信誤差が検出され訂正されてもよい。例示的な符号化技法には、線形ブロック符号化、ポーラ符号化、リード-マラー(RM)符号化、ポーラRM符号化などが含まれる。この冗長性は、受信時に情報ビットの数の復号が成功する全体的な確率を高めることがある。いくつかの例では、エンコーダ230によってデータ送信を符号化するための方法は、コンパクトポーラ符号、RM符号、ポーラRM符号、または長さ'N'および次元'k'の他のプロトキン符号を生成することを含んでもよい。
【００５２】
場合によっては、パリティ検査ビットの位置は、生成元重み'w'に基づいて決定されてもよい。場合によっては、生成元重み'w'は、情報ビットの数(たとえば、'l'または'k'の数)の重みに相当してもよい。送信すべき符号語の重み分布は、パリティ検査ビットを含めることによって最適化されてもよく、復号の実行を容易にする場合がある。追加または代替として、パリティ検査ビットを使用すると、選択された候補経路をより早期に取り除くことが可能になることがあり、それによって復号性能が向上することがある。CRC補助逐次消去リスト(CA-SCL)復号に使用される場合があるCRCビットとは異なり、パリティ検査ビットはオーバーヘッドと見なされないことがある。たとえば、場合によっては、パリティ検査ビットは、情報ビットまたは他のビット(たとえば、凍結ビット)を復号する間デコーダ235によって復号されてもよく、一方、CRCビットは、復号すべき追加のビットを追加してもよい。パリティ検査ビットの種類に応じて(すなわち、パリティ検査ビットが凍結ビットとして再割当てされているかいないか)、パリティ検査ビットは、凍結ビットである場合には'0'と見なされてもよく、または情報ビット(たとえば、1)と見なされてもよい。したがって、復号の観点からすると、パリティ検査ビットは、復号すべきビットの数に追加せずに実装される場合があるのでオーバーヘッドと見なされないことがある。さらに、場合によっては、パリティ検査ビットの数がCA-SCL復号性能に関与することがある。たとえば、パリティ検査ビットの数が多いほど、CA-SCL復号性能がよりロバストになる。
【００５３】
場合によっては、パリティ検査ポーラ符号は、パリティ検査ビットのためにエンコーダ230またはデコーダ235のポーラチャネルのサブセットを割り当てることによって作成されてもよい。場合によっては、ポーラチャネルのサブセットにおけるポーラチャネルは、凍結ビット、情報ビット、またはパリティ検査ビットなどの単一ビットに相当してもよい。場合によっては、様々なポーラチャネルについての信頼度メトリックが算出されてもよい。たとえば、所与のポーラチャネルの復号が成功する確率は、信頼度と呼ばれることがある。場合によっては、パリティ検査ビットに割り当てられたポーラチャネルは、情報ビットに割り当てられた1つまたは複数のポーラチャネルよりも信頼度が高いことがある。場合によっては、生成行列の行重みが、パリティ検査ビットにポーラチャネルを割り当てるために使用されることがあり、パリティ検査ビットに選択されることがあるポーラチャネルの数が制限されないことがある。そのような場合、高速並列復号技法を適用する能力が悪影響を受けることがある(たとえば、電力および計算面の制約に起因する影響)。
【００５４】
様々な態様によれば、マルチステッププロセスは、それぞれの信頼度に応じてポーラチャネルをソートすることと、情報ビット用の最も信頼度の高いポーラチャネルを選択することと、1つまたは複数の情報ビットに関連するチャネルインデックスに基づいてパリティ検査ビットを割り当てることとを含んでもよい。エンコーダ230は、情報ビットの数を符号化し、長さ'N'を有する符号語を出力してもよく、長さ'N'はkと異なってもよく、または同じであってもよい。さらに、情報ビットとして選択されないビット(すなわち、N-kビット)は、パリティビットおよび/または凍結ビットとして割り当てられてもよい。場合によっては、'N'ビットのサブセットは、符号化の後で除去または削除されてもよい。この技法は、パンクチャリングと呼ばれることがあり、符号化の後に除去される'N'ビットのサブセットは、パンクチャドビットと呼ばれることがある。場合によっては、情報ビットならびに凍結ビットおよび/またはパリティ検査ビットとして選択されるビットの数の和が、値'M'として表されてもよく、パンクチャドビットの数が'N-M'として表されてもよい。
【００５５】
場合によっては、複数のポーラチャネルが、各ポーラチャネルの信頼度に応じてソートされてもよく、最も信頼度の低い'N-M'個のポーラチャネルが'N-M'個のパンクチャドビット用に選択されてもよい。パンクチャドビットを除いて、最も信頼度の高い'K'個のポーラチャネルが、対応するCRCビットとともに情報ビット用に選択されてもよい。したがって、凍結ビットおよび/またはパリティ検査ビット用の残りのビットの数は'M-k'である。いくつかの例によれば、エンコーダ230は、残りの'M-k'個のポーラチャネル選択から、インデックスが第1の情報ビット用のポーラチャネルのチャネルインデックスよりも大きい1つまたは複数のポーラチャネル(たとえば、値'P')を選択してもよい。さらに、エンコーダ230は、パリティ検査ビット用の'P'個のポーラチャネルを選択してもよい。場合によっては、パリティ検査ビットの数'P'は、一定の値(たとえば、8)として選択されてもよい。他のいくつかの場合には、値'P'は、インデックスが、第1の情報ビット用のポーラチャネルのチャネルインデックスよりも大きく、かつ情報ビットとして選択されないポーラチャネルの数の2分の1として選択されてもよい。追加または代替として、'P'としては、インデックスが、第1の情報ビット用のポーラチャネルのチャネルインデックスよりも大きく、かつ情報ビットとして選択されないポーラチャネルの数以下の値が選択されてもよい。前に説明したように、'P'の値が大きくなると復号性能が向上するが、復号演算の計算コストおよび複雑さが増すことがある。
【００５６】
いくつかの例では、残りのポーラチャネル(すなわち、M-k-P)が凍結ビットとして割り当てられてもよい。復号の間、パリティ検査ビットは、すでに復号された情報ビットと比較されてもよい。場合によっては、パリティ検査ビットはすでに復号された情報ビットに整合してもよい。他のいくつかの場合には、パリティ検査ビットはすでに復号された情報ビットに整合しないことがあり、受信デバイスまたは復号デバイスがペナルティまたは誤差を付加することを促される。場合によっては、符号語を訂正するために付加されるペナルティまたは誤差は、凍結ビットの復号された値(すなわち、0または別の値)と凍結ビットの理想値(すなわち、0)との間の推定された誤差に部分的に基づいてもよい。
【００５７】
図3は、本開示の様々な態様による、ポーラ符号化のためのパリティビットチャネル割当てをサポートするポーラチャネルセット300-aおよび300-bの例を示す。各ポーラチャネルセット300-a、300-bは複数のポーラチャネル301を含む。場合によっては、ポーラチャネル301の各々は、ポーラ符号化を目的としてパンクチャドビット305、凍結ビット310、情報ビット315、またはパリティ検査ビット320として割り当てられることがある。ポーラチャネル301の符号化は、符号化プロセスまたは復号プロセスを実行するワイヤレス通信システム100内の任意のデバイスまたは構成要素、たとえば、図1および図2において説明するUE115もしくは基地局105、またはエンコーダ230もしくはデコーダ235によって実行されることがある。
【００５８】
ポーラチャネル301は、連続するチャネルインデックスが周波数領域における隣接するポーラチャネルに対応するように周波数によって順次インデックス付けられてもよい。各チャネルインデックスは、対応する信頼度メトリックを有してもよい。前に説明したように、情報ビット315は、ポーラチャネルセット300内の最も信頼度の高いポーラチャネル301に割り当てられてもよく、凍結ビット310、パンクチャドビット305、および/またはパリティ検査ビット320が残りのポーラチャネル301に割り当てられてもよい。
【００５９】
ポーラチャネルセット300に示すように、エンコーダは、長さ'N'(たとえば、20)の符号語における'k'個の情報ビット315(たとえば、6つ)のセットを符号化することがある。場合によっては、エンコーダは、最も信頼度の高い'k'個のチャネルインデックスにおける情報ビット315を符号化して、送信のための符号語を取得する場合がある。デコーダは、符号語を復号して情報ビット315を取得することがあるが、第1の情報ビット315-aについてのチャネルインデックスよりも小さいチャネルインデックスを有するビット(凍結および/またはパリティ)を復号しないことがある。その代わり、デコーダは、第1の情報ビット315-aを特定することがあり、復号経路の開始位置がたとえば、凍結ビット310を含む(たとえば、符号語は、第1の情報ビット315-aよりも前の5つの連続する0ビットから開始してもよい)と決定する場合がある。デコーダは、この決定に基づいて、最初の5ビットを決定する際に計算を実行しないことがあり、この5ビットは、ポーラチャネルセット300-aに示すように、1つまたは複数のパリティ検査ビット320を含むことがある。上記で説明したように、パリティ検査ビット320は、たとえば、すでに復号された情報ビットに対応することによって、誤り訂正に使用されることがある。したがって、パリティ検査ビット320の復号をスキップすると、誤り訂正および復号性能が悪影響を受けることがある。
【００６０】
いくつかの態様によれば、エンコーダは、パリティ検査ビット320を第1の情報ビット315のチャネルインデックスよりも大きいチャネルインデックスにシフトさせて復号性能を最適化してもよい。たとえば、ポーラチャネルセット300-bに示すように、エンコーダは、長さ'N'(たとえば、20)の符号語における'k'個の情報ビット315(たとえば、6つ)のセットを送信することがあり、この場合、最低のインデックスを有する情報ビット315が情報ビット315-aとして示される。場合によっては、エンコーダは、最も信頼度の高い'k'個のチャネルインデックスにおける情報ビット315を符号化することがある。いくつかの態様によれば、エンコーダは、チャネルインデックスが第1の情報ビット315-b用のポーラチャネルのチャネルインデックスよりも大きい1つまたは複数のポーラチャネル(たとえば、値'P')を選択してもよい。さらに、エンコーダは、パリティ検査ビット320用の'P'個のポーラチャネルを選択してもよい。場合によっては、パリティ検査ビットの数'P'は、一定の値(たとえば、2)として選択されてもよい。他のいくつかの場合には、値'P'は、インデックスが、第1の情報ビット315-a用のポーラチャネルのチャネルインデックスよりも大きく、かつ情報ビット315として選択されないポーラチャネルの数の2分の1として選択されてもよい。さらに、'P'としては、インデックスが、第1の情報ビット315-a用のポーラチャネルのチャネルインデックスよりも大きく、かつ情報ビット315として選択されないポーラチャネル301の数以下の値が選択されてもよい。したがって、ポーラチャネルセット300-bに示すように、パリティ検査ビット320は、第1の情報ビット315-aに関連するチャネルインデックスよりも大きいインデックスを有するチャネルに割り当てられている。
【００６１】
図4は、本開示の様々な態様による、ポーラ符号化のためのパリティビットチャネル割当てをサポートするポーラチャネル信頼度プロット400の例を示す。ポーラチャネル信頼度プロット400は、64ビット符号語内のチャネルインデックスごとに、信頼度メトリックと呼ばれることもあるポーラチャネル信頼度を(たとえば、0から10までのスケールで)示す。本開示の範囲から逸脱することなく、他の信頼度値および符号語長さが検討されてよい。
【００６２】
ポーラチャネル信頼度プロット400に示すように、エンコーダは、64ビットの符号語における8つの情報ビット405のセットを送信することがある。この場合、デコーダは、8つの情報ビット405、4つのパリティ検査ビット415、および52個の凍結ビット410を64個のポーラチャネルを介して受信することがあり、各ポーラチャネルはそれぞれのチャネルインデックスに関連付けられる。場合によっては、エンコーダは、最も信頼度の高い8つのチャネルインデックス(たとえば、チャネルインデックス32、48、56、60、61、62、63、および64)における8つの情報ビット405を符号化してもよい。デコーダは、符号語内の情報ビット405を復号する場合があるが、第1の情報ビット405についてのチャネルインデックスよりも小さいチャネルインデックスを有する凍結ビット410およびパリティ検査ビット415(たとえば、チャネルインデックス32における情報ビット405)を復号しないことがある。その代わり、デコーダは、第1の情報ビット405を特定する場合があり、復号経路の開始位置が31個の凍結ビット410デフォルト値でなければならない(たとえば、符号語は、第1の情報ビット405よりも前の31個の連続する0ビットから開始することがある)と決定する場合がある。この決定に基づいて、デコーダは、第1の情報ビット405のチャネルインデックスよりも小さいチャネルインデックスを有する(チャネルインデックス21および26における)2つのパリティ検査ビット415を復号する際に計算を実行しないことがある。場合によっては、このことは符号語についての復号信頼度および性能に悪影響を及ぼす場合がある。代替として、デコーダは、チャネルインデックス30から復号を開始して、チャネルインデックス32における第1の情報ビット405よりも前のパリティ検査ビット415を決定することがある。この復号プロセスでは、第1の情報ビット405よりも前にパリティ検査ビットを復号するために追加の計算が実行されるのでレイテンシが延長する場合がある。
【００６３】
図5は、本開示の様々な態様による、ポーラ符号化のためのパリティビットチャネル割当てをサポートするポーラチャネル信頼度プロット500の例を示す。ポーラチャネル信頼度プロット500は、64ビット符号語内のチャネルインデックスごとに、信頼度メトリックと呼ばれることもあるポーラチャネル信頼度を(たとえば、0から10までのスケールで)示す。本開示の範囲から逸脱することなく、他の信頼度値および符号語長さが検討されてよい。
【００６４】
ポーラチャネル信頼度プロット500は復号性能を最適化するポーラ符号化技法を示す。情報ビット505は、最も信頼度の高いチャネルに割り当てられ、パリティ検査ビット515は、第1の情報ビット505についてのチャネルインデックスよりも大きいチャネルインデックスを有し、かつ情報ビット505として割り当てられない最も信頼度の高いポーラチャネルに割り当てられる。最後に、凍結ビット510は、残りのポーラチャネルに割り当てられる。図4に示すポーラチャネル信頼度プロット400と比較して、第1の情報ビット505よりも小さいインデックスを有するパリティ検査ビットは、第1の情報ビット505よりも大きいチャネルインデックスにシフトされている。
【００６５】
ポーラチャネル信頼度セット500に示すように、エンコーダは、64ビットの符号語における8つの情報ビット505のセットを送信することがある。この場合、デコーダは、8つの情報ビット505、4つのパリティ検査ビット515、および52個の凍結ビット510を64個のポーラチャネルを介して受信することがあり、各ポーラチャネルはそれぞれのチャネルインデックスに関連付けられる。場合によっては、エンコーダは、最も信頼度の高い8つのチャネルインデックス(たとえば、チャネルインデックス32、48、56、60、61、62、63、および64)における8つの情報ビット505および第1の情報ビット505のチャネルインデックス(たとえば、この場合は32)よりも大きい最も信頼度の高い4つのチャネルインデックスにおけるパリティ検査ビットを符号化することがある。デコーダは、符号語内の情報ビット505を復号する場合があるが、第1の情報ビット505についてのチャネルインデックスよりも小さいチャネルインデックスを有する凍結ビット510を復号しないことがある。その代わり、デコーダは、第1の情報ビット505を特定する場合があり、復号経路の開始位置が31個の凍結ビット510デフォルト値でなければならない(たとえば、符号語は、第1の情報ビット505よりも前の31個の連続する0ビットから開始することがある)と決定する場合がある。したがって、現在のポーラ符号化技法の下では、32よりも大きいチャネルインデックスを有する4つのパリティ検査ビット515のすべてが復号されることがあり、レイテンシを延長せずに復号性能が最適化される。
【００６６】
図6は、本開示の様々な態様による、ポーラ符号化のためのパリティビットチャネル割当てをサポートするプロセスフロー600の例を示す。プロセスフロー600によって示されるプロセスは、符号化プロセスまたは復号プロセスを実行するワイヤレス通信システム内の任意のデバイス(図示せず)またはデバイスの構成要素によって実施されてもよい。デバイスは、たとえば、図1において説明したような、UE115または基地局105であってもよい。場合によっては、デバイスの構成要素は、たとえば、エンコーダ630またはデコーダ635を含んでもよく、エンコーダ630またはデコーダ635は、図2を参照しながら説明したエンコーダ230およびデコーダ235の例であってもよい。
【００６７】
605において、エンコーダ630は、ポーラ符号化技法を使用した符号化のための'k'個の情報ビットおよび'P'個のパリティ検査ビットのセットを特定してもよい。
【００６８】
610において、エンコーダ630は、エンコーダの'N'個のポーラチャネルのセットについてそれぞれの信頼度メトリックを判定してもよく、この場合、'N'は'k'以上であってもよい。場合によっては、エンコーダ630は、ポーラチャネルについての信頼度メトリックに少なくとも部分的に基づいて、ポーラチャネルのセットから、第1の情報ビット用の第1のポーラチャネルを決定してもよい。さらに、場合によっては、エンコーダ630は、第1のパリティ検査ビットについて、第1の情報ビットについて特定された第1のポーラチャネルとは別の第2のポーラチャネルを決定してもよい。場合によっては、第1のパリティ検査ビットについて特定されるポーラチャネルは、第1の情報ビットに関連する第1のポーラチャネルについてのチャネルインデックスよりも大きいチャネルインデックスを有してもよい。他の場合には、エンコーダは、様々な'N'個の値および'k'個の値に関連する信頼度メトリック値のテーブルまたはデータベースにアクセスしてもよい。
【００６９】
615において、エンコーダ630は、ポーラチャネルのセットにおける各ポーラチャネルについて繰り返し、ポーラチャネル信頼度メトリックに基づいて情報ビット、パリティ検査ビット、または凍結ビットのうちの1つを割り当ててもよい。たとえば、場合によっては、エンコーダは、'k'個の情報ビット用の最も信頼度の高い'k'個のポーラチャネルを特定してもよい。さらに、場合によっては、エンコーダ630は、情報ビットに関連付けられず、第1の情報ビット用の第1のポーラチャネルよりも大きいインデックスを有する最も信頼度の高い'P'個のポーラチャネルを、パリティ検査ビットについて特定してもよい。場合によっては、パリティ検査ビットのセットにおけるパリティ検査ビットの数('P')は、それぞれのチャネルインデックスが第1のポーラチャネルのチャネルインデックスよりも大きいチャネルの数の2分の1に相当してもよい。他のいくつかの場合には、'P'としては、それぞれのチャネルインデックスが第1のポーラチャネルのチャネルインデックスよりも大きいチャネルの数以下になるような値が選択されてもよい。エンコーダは、情報ビットまたはパリティ検査ビットの一方によってチャネルのセットを符号化した後、凍結ビットとして割り当てられたチャネルの残りを符号化して符号語を取得してもよい。
【００７０】
620において、エンコーダ630またはエンコーダ630を含むワイヤレスデバイスのトランスミッタは、符号語を受信デバイスに送信してもよい。場合によっては、受信デバイスのデコーダ635はさらに、625において、情報ビットと第1のパリティ検査ビットとを少なくとも含む符号語を復号してもよい。
【００７１】
図7は、本開示の態様による、ポーラ符号化のためのパリティビットチャネル割当てをサポートするワイヤレスデバイス705のブロック図700を示す。ワイヤレスデバイス705は、図1を参照しながら説明した基地局105またはUE115の態様の一例であってもよい。ワイヤレスデバイス705は、レシーバ710と、コーディングマネージャ715と、トランスミッタ720とを含んでもよい。ワイヤレスデバイス705はまた、プロセッサを含んでもよい。これらの構成要素の各々は、(たとえば、1つまたは複数のバスを介して)互いに通信してもよい。
【００７２】
レシーバ710は、パケット、ユーザデータ、または様々な情報チャネルに関連付けられた制御情報(たとえば、制御チャネル、データチャネル、およびポーラ符号化のためのパリティビットチャネル割当てに関する情報など)のような情報を受信してもよい。情報はデバイスの他の構成要素に渡されてもよい。レシーバ710は、単一のアンテナを利用してもまたはアンテナのセットを利用してもよい。
【００７３】
コーディングマネージャ715は、図9を参照しながら説明するコーディングマネージャ915の態様の一例であってもよい。コーディングマネージャ715および/またはその様々な副構成要素における少なくともいくつかは、ハードウェア、プロセッサによって実行されるソフトウェア、ファームウェア、またはそれらの任意の組合せで実装されてもよい。プロセッサによって実行されるソフトウェアで実装される場合、コーディングマネージャ715および/またはその様々な副構成要素の少なくともいくつかの機能は、汎用プロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタ論理、個別ハードウェア構成要素、または本開示において説明する機能を実行するように設計されたそれらの任意の組合せによって実行されてもよい。
【００７４】
コーディングマネージャ715および/またはその様々な副構成要素における少なくともいくつかは、機能の一部が1つまたは複数の物理デバイスによって異なる物理的位置において実現されるように分散されることを含めて、様々な場所に物理的に位置してもよい。いくつかの例では、コーディングマネージャ715および/またはその様々な副構成要素における少なくともいくつかは、本開示の様々な態様による別個のかつ異なる構成要素であってもよい。他の例では、コーディングマネージャ715および/またはその様々な副構成要素における少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わされてもよい。
【００７５】
コーディングマネージャ715は、符号化のための情報ビットのセットおよびパリティ検査ビットのセットを特定することと、ポーラチャネルのセットについてのそれぞれの信頼度メトリックに基づいて、ポーラチャネルのセットから、情報ビットのセットにおける第1の情報ビット用の第1のポーラチャネルを決定することと、第1のチャネルのチャネルインデックスに基づいて、パリティ検査ビットのセットにおける第1のパリティ検査ビット用のポーラチャネルのセットから第2のポーラチャネルを決定することであって、第2のポーラチャネルのチャネルインデックスが、第1のポーラチャネルのチャネルインデックスよりも大きい、決定することと、第1のポーラチャネルおよび第2のポーラチャネルに基づいて少なくとも第1の情報ビットおよび第1のパリティ検査ビットを符号化することと、符号化された第1の情報ビットおよび第1のパリティ検査ビットを含む符号語を送信することとを行ってもよい。コーディングマネージャ715は、情報ビットのセットおよびパリティ検査ビットのセットを含む符号語を受信することと、ポーラチャネルのセットについてのそれぞれの信頼度メトリックに基づいて、ポーラチャネルのセットから、情報ビットのセットにおける第1の情報ビットに割り当てられる第1のポーラチャネルを決定することと、第1のポーラチャネルのチャネルインデックスに基づいて、パリティ検査ビットのセットにおける第1のパリティ検査ビット用のポーラチャネルのセットから第2のポーラチャネルを決定することであって、第2のポーラチャネルのチャネルインデックスが、第1のポーラチャネルのチャネルインデックスよりも大きい、決定することと、第1のポーラチャネルおよび第2のポーラチャネルに基づいて少なくとも第1の情報ビットおよび第1のパリティ検査ビットを復号することとを行ってもよい。
【００７６】
トランスミッタ720は、デバイスの他の構成要素によって生成された信号を送信してもよい。いくつかの例では、トランスミッタ720は、トランシーバモジュールにおいてレシーバ710と併置されてよい。トランスミッタ720は、単一のアンテナを利用してもまたはアンテナのセットを利用してもよい。
【００７７】
図8は、本開示の態様による、ポーラ符号化のためのパリティビットチャネル割当てをサポートするワイヤレスデバイス805のブロック図800を示す。ワイヤレスデバイス805は、図1および図7を参照しながら説明したワイヤレスデバイス705または基地局105もしくはUE115の態様の一例であってもよい。ワイヤレスデバイス805は、レシーバ810と、コーディングマネージャ815と、トランスミッタ820とを含んでもよい。ワイヤレスデバイス805はまた、プロセッサを含んでもよい。これらの構成要素の各々は、(たとえば、1つまたは複数のバスを介して)互いに通信してもよい。
【００７８】
レシーバ810は、パケット、ユーザデータ、または様々な情報チャネルに関連付けられた制御情報(たとえば、制御チャネル、データチャネル、およびポーラ符号化のためのパリティビットチャネル割当てに関する情報など)のような情報を受信してもよい。情報はデバイスの他の構成要素に渡されてもよい。レシーバ810は、単一のアンテナを利用してもまたはアンテナのセットを利用してもよい。
【００７９】
コーディングマネージャ815は、図9を参照しながら説明するコーディングマネージャ915の態様の一例であってもよい。
【００８０】
コーディングマネージャ815は、ビット識別器825と、情報ビット構成要素830と、パリティビット構成要素835と、符号化構成要素840と、符号語トランスミッタ845と、符号語構成要素850と、復号構成要素855とを含んでもよい。
【００８１】
ビット識別器825は、符号化のための情報ビットのセットおよびパリティ検査ビットのセットを特定してもよい。
【００８２】
情報ビット構成要素830は、ポーラチャネルのセットについてのそれぞれの信頼度メトリックに基づいて、ポーラチャネルセットから、情報ビットのセットにおける第1の情報ビット用の第1のポーラチャネルを決定し、ポーラチャネルのセットについてのそれぞれの信頼度メトリックに基づいて、ポーラチャネルのセットから、情報ビットのセットにおける第1の情報ビットに割り当てられる第1のポーラチャネルを決定してもよい。
【００８３】
パリティビット構成要素835は、第1のポーラチャネルのチャネルインデックスに基づいて、パリティ検査ビットのセットにおける第1のパリティ検査ビット用のポーラチャネルのセットから第2のポーラチャネルを決定してもよく、この場合、第2のポーラチャネルのチャネルインデックスは、第1のポーラチャネルのチャネルインデックスよりも大きい。場合によっては、ポーラチャネルのセットにおける第3のチャネルに関連する信頼度メトリックは、第2のポーラチャネルに関連する信頼度メトリックよりも大きい。場合によっては、第2のポーラチャネルは、ポーラチャネルのセットのサブセットにおける少なくとも1つの他のチャネルに関連する第2の信頼度メトリックよりも大きい第1の信頼度メトリックに関連付けられる。場合によっては、パリティ検査ビットのセットにおけるパリティ検査ビットの数は、それぞれのチャネルインデックスが第1のポーラチャネルのチャネルインデックスよりも大きいチャネルの数の2分の1に相当する。場合によっては、パリティ検査ビットのセットにおけるパリティ検査ビットの数は、それぞれのチャネルインデックスが第1のポーラチャネルのチャネルインデックスよりも大きいチャネルの数以下である。場合によっては、ポーラチャネルのセットにおける第3のチャネルに関連する信頼度メトリックは、第2のポーラチャネルに関連する信頼度メトリックよりも大きい。場合によっては、第2のポーラチャネルを決定することは、それぞれのチャネルインデックスが第1のポーラチャネルのチャネルインデックスよりも大きいポーラチャネルのセットのサブセットについてのそれぞれの信頼度メトリックを判定することと、それぞれの信頼度メトリックに基づいてポーラチャネルのセットのサブセットから第2のポーラチャネルを選択することとを含む。場合によっては、第2のポーラチャネルを決定することは、それぞれのチャネルインデックスが第1のポーラチャネルのチャネルインデックスよりも大きいポーラチャネルのセットのサブセットについてのそれぞれの信頼度メトリックを判定することと、それぞれの信頼度メトリックに基づいてポーラチャネルのセットのサブセットから第2のポーラチャネルを選択することとを含む。場合によっては、第2のポーラチャネルは、ポーラチャネルのセットのサブセットにおける少なくとも1つの他のチャネルに関連する第2の信頼度メトリックよりも大きい第1の信頼度メトリックに関連付けられる。場合によっては、パリティ検査ビットのセットにおけるパリティ検査ビットの数は、それぞれのチャネルインデックスが第1のポーラチャネルのチャネルインデックスよりも大きいチャネルの数の2分の1に相当する。場合によっては、パリティ検査ビットのセットにおけるパリティ検査ビットの数は、それぞれのチャネルインデックスが第1のポーラチャネルのチャネルインデックスよりも大きいチャネルの数以下である。
【００８４】
符号化構成要素840は、第1のポーラチャネルおよび第2のポーラチャネルに基づいて少なくとも第1の情報ビットおよび第1のパリティ検査ビットを符号化し、それぞれのチャネルに基づいて各パリティ検査ビットを符号化してもよい。
【００８５】
符号語トランスミッタ845は、符号化された第1の情報ビットおよび第1のパリティ検査ビットを含む符号語を送信してもよい。
【００８６】
符号語構成要素850は、情報ビットのセットおよびパリティ検査ビットのセットを含む符号語を受信してもよい。
【００８７】
復号構成要素855は、第1のポーラチャネルおよび第2のポーラチャネルに基づいて少なくとも第1の情報ビットおよび第1のパリティ検査ビットを復号し、それぞれのチャネルに基づいて各パリティ検査ビットを復号してもよい。
【００８８】
トランスミッタ820は、デバイスの他の構成要素によって生成された信号を送信してもよい。いくつかの例では、トランスミッタ820は、トランシーバモジュールにおいてレシーバ810と併置されてよい。トランスミッタ820は、単一のアンテナを利用してもよくまたはアンテナのセットを利用してもよい。
【００８９】
図9は、本開示の態様による、ポーラ符号化のためのパリティビットチャネル割当てをサポートするコーディングマネージャ915のブロック図900を示す。コーディングマネージャ915は、図7、図8、および図9を参照しながら説明する、コーディングマネージャ715、コーディングマネージャ815、またはコーディングマネージャ915の態様の一例であってもよい。コーディングマネージャ915は、ビット識別器920と、情報ビット構成要素925と、パリティビット構成要素930と、符号化構成要素935と、符号語トランスミッタ940と、符号語構成要素945と、復号構成要素950と、チャネル構成要素955とを含んでよい。これらのモジュールの各々は、(たとえば、1つまたは複数のバスを介して)互いと直接的または間接的に通信してもよい。
【００９０】
ビット識別器920は、符号化のための情報ビットのセットおよびパリティ検査ビットのセットを特定してもよい。情報ビット構成要素925は、ポーラチャネルのセットについてのそれぞれの信頼度メトリックに基づいて、ポーラチャネルセットから、情報ビットのセットにおける第1の情報ビット用の第1のポーラチャネルを決定し、ポーラチャネルのセットについてのそれぞれの信頼度メトリックに基づいて、ポーラチャネルのセットから、情報ビットのセットにおける第1の情報ビットに割り当てられる第1のポーラチャネルを決定してもよい。
【００９１】
パリティビット構成要素930は、第1のポーラチャネルのチャネルインデックスに基づいて、パリティ検査ビットのセットにおける第1のパリティ検査ビット用のポーラチャネルのセットから第2のポーラチャネルを決定してもよく、この場合、第2のポーラチャネルのチャネルインデックスは、第1のポーラチャネルのチャネルインデックスよりも大きい。場合によっては、ポーラチャネルのセットにおける第3のチャネルに関連する信頼度メトリックは、第2のポーラチャネルに関連する信頼度メトリックよりも大きい。場合によっては、第2のポーラチャネルは、ポーラチャネルのセットのサブセットにおける少なくとも1つの他のチャネルに関連する第2の信頼度メトリックよりも大きい第1の信頼度メトリックに関連付けられる。場合によっては、パリティ検査ビットのセットにおけるパリティ検査ビットの数は、それぞれのチャネルインデックスが第1のポーラチャネルのチャネルインデックスよりも大きいチャネルの数の2分の1に相当する。場合によっては、パリティ検査ビットのセットにおけるパリティ検査ビットの数は、それぞれのチャネルインデックスが第1のポーラチャネルのチャネルインデックスよりも大きいチャネルの数以下である。場合によっては、ポーラチャネルのセットにおける第3のチャネルに関連する信頼度メトリックは、第2のポーラチャネルに関連する信頼度メトリックよりも大きい。場合によっては、第2のポーラチャネルを決定することは、それぞれのチャネルインデックスが第1のポーラチャネルのチャネルインデックスよりも大きいポーラチャネルのセットのサブセットについてのそれぞれの信頼度メトリックを判定することと、それぞれの信頼度メトリックに基づいてポーラチャネルのセットのサブセットから第2のポーラチャネルを選択することとを含む。場合によっては、第2のポーラチャネルを決定することは、それぞれのチャネルインデックスが第1のポーラチャネルのチャネルインデックスよりも大きいポーラチャネルのセットのサブセットについてのそれぞれの信頼度メトリックを判定することと、それぞれの信頼度メトリックに基づいてポーラチャネルのセットのサブセットから第2のポーラチャネルを選択することとを含む。場合によっては、第2のポーラチャネルは、ポーラチャネルのセットのサブセットにおける少なくとも1つの他のチャネルに関連する第2の信頼度メトリックよりも大きい第1の信頼度メトリックに関連付けられる。場合によっては、パリティ検査ビットのセットにおけるパリティ検査ビットの数は、それぞれのチャネルインデックスが第1のポーラチャネルのチャネルインデックスよりも大きいチャネルの数の2分の1に相当する。場合によっては、パリティ検査ビットのセットにおけるパリティ検査ビットの数は、それぞれのチャネルインデックスが第1のポーラチャネルのチャネルインデックスよりも大きいチャネルの数以下である。
【００９２】
符号化構成要素935は、第1のポーラチャネルおよび第2のポーラチャネルに基づいて少なくとも第1の情報ビットおよび第1のパリティ検査ビットを符号化し、それぞれのチャネルに基づいて各パリティ検査ビットを符号化してもよい。符号化トランスミッタ940は、符号化された第1の情報ビットおよび第1のパリティ検査ビットを含む符号語を送信してもよい。符号語構成要素945は、情報ビットのセットおよびパリティ検査ビットのセットを含む符号語を受信してもよい。復号構成要素950は、第1のポーラチャネルおよび第2のポーラチャネルに基づいて少なくとも第1の情報ビットおよび第1のパリティ検査ビットを復号し、それぞれのチャネルに基づいて各パリティ検査ビットを復号してもよい。
【００９３】
チャネル構成要素955は、第1のポーラチャネルのチャネルインデックスに基づいて、パリティ検査ビットのセットにおける各パリティ検査ビット用のポーラチャネルのセットのそれぞれのチャネルを決定してもよい。場合によっては、それぞれのチャネルの各インデックスは、第1のポーラチャネルのチャネルインデックスよりも大きい。場合によっては、それぞれのチャネルの各インデックスは、第1のポーラチャネルのチャネルインデックスよりも大きい。
【００９４】
図10は、本開示の態様による、ポーラ符号化のためのパリティビットチャネル割当てをサポートするデバイス1005を含むシステム1000の図である。デバイス1005は、たとえば、図1、図7、および図8を参照しながら上記で説明したような、ワイヤレスデバイス705、ワイヤレスデバイス805、または基地局105もしくはUE115の構成要素の一例であるか、またはそれを含んでもよい。デバイス1005は、コーディングマネージャ1015と、プロセッサ1020と、メモリ1025と、ソフトウェア1030と、トランシーバ1035と、アンテナ1040と、I/Oコントローラ1045とを含む、通信を送信し受信するための構成要素を含む、双方向音声およびデータ通信用の構成要素を含んでもよい。これらの構成要素は、1つまたは複数のバス(たとえば、バス1010)を介して電子的に通信してもよい。
【００９５】
プロセッサ1020は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでもよい。場合によっては、プロセッサ1020は、メモリコントローラを使用して、メモリアレイを動作させるように構成されてもよい。他の場合には、メモリコントローラはプロセッサ1020の中に統合されてよい。プロセッサ1020は、メモリに記憶されたコンピュータ可読命令を実行して様々な機能(たとえば、ポーラ符号化のためのパリティビットチャネル割当てをサポートする機能またはタスク)を実行するように構成されてもよい。
【００９６】
メモリ1025は、ランダムアクセスメモリ(RAM)および読取り専用メモリ(ROM)を含んでもよい。メモリ1025は、実行されると、プロセッサに、本明細書で説明する様々な機能を実行させる命令を含む、コンピュータ可読、コンピュータ実行可能ソフトウェア1030を記憶してもよい。場合によっては、メモリ1025は、とりわけ、周辺構成要素または周辺デバイスとの相互作用などの基本的なハードウェア動作および/またはソフトウェア動作を制御する場合がある基本入出力システム(BIOS)を含んでもよい。
【００９７】
ソフトウェア1030は、ポーラ符号化のためのパリティビットチャネル割当てをサポートするためのコードを含む、本開示の態様を実装するためのコードを含んでもよい。ソフトウェア1030は、システムメモリまたは他のメモリなどの非一時的コンピュータ可読媒体内に記憶されてもよい。場合によっては、ソフトウェア1030は、プロセッサによって直接実行可能でないことがあるが、(たとえば、コンパイルおよび実行されたとき)本明細書で説明する機能をコンピュータに実行させてよい。
【００９８】
トランシーバ1035は、上記で説明したように、1つまたは複数のアンテナ、ワイヤードリンク、またはワイヤレスリンクを介して双方向に通信してもよい。たとえば、トランシーバ1035は、ワイヤレストランシーバを表してもよく、別のワイヤレストランシーバと双方向に通信してもよい。トランシーバ1035はまた、パケットを変調して変調されたパケットを送信のためにアンテナに提供するための、またアンテナから受信されたパケットを復調するための、モデムを含んでもよい。
【００９９】
場合によっては、ワイヤレスデバイスは単一のアンテナ1040を含んでもよい。しかしながら、場合によっては、デバイスは、複数のワイヤレス送信を同時に送信または受信することが可能であってもよい、2つ以上のアンテナ1040を有してもよい。
【０１００】
I/Oコントローラ1045は、デバイス1005の入力信号および出力信号を管理してもよい。I/Oコントローラ1045はまた、デバイス1005の中に統合されていない周辺装置を管理してもよい。場合によっては、I/Oコントローラ1045は、外部の周辺装置への物理接続またはポートを表すことがある。場合によっては、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または知られている別のオペレーティングシステムなどの、オペレーティングシステムを利用し得る。他の場合には、I/Oコントローラ1045は、モデム、キーボード、マウス、タッチスクリーン、または同様のデバイスを表し、またはそれと対話してもよい。場合によっては、I/Oコントローラ1045は、プロセッサの一部として実装されてもよい。場合によっては、ユーザは、I/Oコントローラ1045を介してデバイス1005と対話してもよく、またはI/Oコントローラ1045によって制御されたハードウェア構成要素を介してデバイス1005と対話してもよい。
【０１０１】
図11は、本開示の態様による、ポーラ符号化のためのパリティビットチャネル割当てのための方法1100を示すフローチャートを示す。方法1100の動作は、本明細書で説明したように、基地局105またはUE115またはその構成要素によって実施されてもよい。たとえば、方法1100の動作は、図7〜図10を参照しながら説明したようなコーディングマネージャによって実行されてもよい。いくつかの例では、基地局105またはUE115は、以下で説明する機能を実行するようにデバイスの機能要素を制御するためのコードのセットを実行してもよい。追加または代替として、基地局105またはUE115は、以下で説明する機能の態様を、専用ハードウェアを使用して実行してもよい。
【０１０２】
ブロック1105において、基地局105またはUE115は、符号化のための情報ビットのセットおよびパリティ検査ビットのセットを特定してもよい。ブロック1105の動作は、図1〜図5を参照しながら説明した方法に従って実行されてもよい。いくつかの例では、ブロック1105の動作の態様は、図7〜図10を参照しながら説明したように、ビット識別器によって実行されてもよい。
【０１０３】
ブロック1110において、基地局105またはUE115は、ポーラチャネルのセットについてのそれぞれの信頼度メトリックに少なくとも部分的に基づいて、ポーラチャネルのセットから、情報ビットのセットにおける第1の情報ビット用の第1のポーラチャネルを決定してもよい。ブロック1110の動作は、図1〜図5を参照しながら説明した方法に従って実行されてもよい。いくつかの例では、ブロック1110の動作の態様は、図7〜図10を参照しながら説明したように、情報ビット構成要素によって実行されてもよい。
【０１０４】
ブロック1115において、基地局105またはUE115は、第1のポーラチャネルのチャネルインデックスに少なくとも部分的に基づいて、パリティ検査ビットのセットにおける第1のパリティ検査ビット用のポーラチャネルのセットから第2のポーラチャネルを決定してもよく、この場合、第2のポーラチャネルのチャネルインデックスは、第1のポーラチャネルのチャネルインデックスよりも大きい。ブロック1115の動作は、図1〜図5を参照しながら説明した方法に従って実行されてもよい。いくつかの例では、ブロック1115の動作の態様は、図7〜図10を参照しながら説明したように、パリティビット構成要素によって実行されてもよい。
【０１０５】
ブロック1120において、基地局105またはUE115は、第1のポーラチャネルおよび第2のポーラチャネルに少なくとも部分的に基づいて少なくとも第1の情報ビットおよび第1のパリティ検査ビットを符号化してもよい。ブロック1120の動作は、図1〜図5を参照しながら説明した方法に従って実行されてもよい。いくつかの例では、ブロック1120の動作の態様は、図7〜図10を参照しながら説明したように、符号化構成要素によって実行されてもよい。
【０１０６】
ブロック1125において、基地局105またはUE115は、符号化された第1の情報ビットおよび第1のパリティ検査ビットを備える符号語を送信してもよい。ブロック1125の動作は、図1〜図5を参照しながら説明した方法に従って実行されてもよい。いくつかの例では、ブロック1125の動作の態様は、図7〜図10を参照しながら説明したような符号語トランスミッタによって実行されてもよい。
【０１０７】
図12は、本開示の態様による、ポーラ符号化のためのパリティビットチャネル割当てのための方法1200を示すフローチャートを示す。方法1200の動作は、本明細書で説明したように、基地局105またはUE115またはその構成要素によって実施されてもよい。たとえば、方法1200の動作は、図7〜図10を参照しながら説明したようなコーディングマネージャによって実行されてもよい。いくつかの例では、基地局105またはUE115は、以下で説明する機能を実行するようにデバイスの機能要素を制御するためのコードのセットを実行してもよい。追加または代替として、基地局105またはUE115は、以下で説明する機能の態様を、専用ハードウェアを使用して実行してもよい。
【０１０８】
ブロック1205において、基地局105またはUE115は、情報ビットのセットとパリティ検査ビットのセットとを備える符号語受信してもよい。ブロック1205の動作は、図1〜図5を参照しながら説明した方法に従って実行されてもよい。いくつかの例では、ブロック1205の動作の態様は、図7〜図10を参照しながら説明したような符号語構成要素によって実行されてもよい。
【０１０９】
ブロック1210において、基地局105またはUE115は、ポーラチャネルのセットについてのそれぞれの信頼度メトリックに少なくとも部分的に基づいて、ポーラチャネルのセットから、情報ビットのセットにおける第1の情報ビットに割り当てられる第1のポーラチャネルを決定してもよい。ブロック1210の動作は、図1〜図5を参照しながら説明した方法に従って実行されてもよい。いくつかの例では、ブロック1210の動作の態様は、図7〜図10を参照しながら説明したように、情報ビット構成要素によって実行されてもよい。
【０１１０】
ブロック1215において、基地局105またはUE115は、第1のポーラチャネルのチャネルインデックスに少なくとも部分的に基づいて、パリティ検査ビットのセットにおける第1のパリティ検査ビット用のポーラチャネルのセットから第2のポーラチャネルを決定してもよく、この場合、第2のポーラチャネルのチャネルインデックスは、第1のポーラチャネルのチャネルインデックスよりも大きい。ブロック1215の動作は、図1〜図5を参照しながら説明した方法に従って実行されてもよい。いくつかの例では、ブロック1215の動作の態様は、図7〜図10を参照しながら説明したように、パリティビット構成要素によって実行されてもよい。
【０１１１】
ブロック1220において、基地局105またはUE115は、第1のポーラチャネルおよび第2のポーラチャネルに少なくとも部分的に基づいて少なくとも第1の情報ビットおよび第1のパリティ検査ビットを符号化してもよい。ブロック1220の動作は、図1〜図5を参照しながら説明した方法に従って実行されてもよい。いくつかの例では、ブロック1220の動作の態様は、図7〜図10を参照しながら説明したように、復号構成要素によって実行されてもよい。
【０１１２】
上述の方法は、可能な実装形態について説明しており、動作およびステップは、再構成されるか、または他の方法で修正されてもよく、他の実装形態が可能であることに留意されたい。さらに、上記の方法のうちの2つ以上における態様が組み合わされてもよい。
【０１１３】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなど、様々なワイヤレス通信システムのために使用されてもよい。「システム」および「ネットワーク」という用語は、しばしば、互換的に使用される。符号分割多元接続(CDMA)システムは、CDMA2000、ユニバーサル地上波無線アクセス(UTRA)などの無線技術を実装することがある。CDMA2000は、IS-2000規格、IS-95規格、およびIS-856規格を対象とする。IS-2000リリースは、一般に、CDMA2000 1X、1Xなどと呼ばれる場合がある。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形例を含む。TDMAシステムは、モバイル通信用グローバルシステム(GSM(登録商標))などの無線技術を実装してもよい。
【０１１４】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装してもよい。UTRAおよびE-UTRAは、ユニバーサルモバイルテレコミュニケーションズシステム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述のシステムおよび無線技術ならびに他のシステムおよび無線技術に使用されてもよい。LTEまたはNRシステムの態様について例として説明することがあり、説明の大部分においてLTEまたはNR用語が使用されることがあるが、本明細書で説明する技法はLTEまたはNR適用例以外に適用可能である。
【０１１５】
本明細書で説明するネットワークを含むLTE/LTE-Aネットワークでは、発展型ノードB(eNB)という用語は、一般に、基地局について説明するために使用されることがある。本明細書で説明する1つまたは複数のワイヤレス通信システムは、異なるタイプのeNBが様々な地理的領域にカバレッジを提供する異種LTE/LTE-AまたはNRネットワークを含んでもよい。たとえば、各eNB、次世代NodeB(gNB)、または基地局は、マクロセル、スモールセル、または他のタイプのセルに通信カバレッジを提供してもよい。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用されてもよい。
【０１１６】
基地局は、基地トランシーバ局、無線基地局、アクセスポイント、無線トランシーバ、ノードB、eノードB(eNB)、gNB、ホームノードB、ホームeノードB、または何らかの他の好適な用語を含むことがあるか、またはそのように当業者によって呼ばれることがある。基地局のための地理的カバレッジエリアは、カバレッジエリアの一部分のみを構成するセクタに分割されてもよい。本明細書で説明する1つまたは複数のワイヤレス通信システムは、異なるタイプの基地局(たとえば、マクロ基地局またはスモールセル基地局)を含んでもよい。本明細書で説明するUEは、マクロeNB、スモールセルeNB、gNB、リレー基地局などを含む、様々なタイプの基地局およびネットワーク機器と通信することが可能である場合がある。異なる技術向けの地理的カバレージエリアが重複する場合がある。
【０１１７】
マクロセルは一般に、比較的大きい地理的エリア(たとえば、半径数キロメートル)を対象とし、ネットワークプロバイダのサービスに加入しているUEによる無制限アクセスを可能にする場合がある。スモールセルは、マクロセルと比較して、同じまたは異なる(たとえば、免許、免許不要などの)周波数帯域内でマクロセルとして動作する場合がある低電力基地局である。スモールセルは、様々な例による、ピコセル、フェムトセル、およびマイクロセルを含む場合がある。ピコセルは、たとえば、小さい地理的エリアをカバーすることができ、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG)の中のUE、自宅の中のユーザ用のUEなど)による制限付きアクセスを可能にする場合がある。マクロセル用のeNBは、マクロeNBと呼ばれる場合がある。スモールセル用のeNBは、スモールセルeNB、ピコeNB、フェムトeNB、またはホームeNBと呼ばれる場合がある。eNBは、1つまたは複数の(たとえば、2つ、3つ、4つなどの)セル(たとえば、コンポーネントキャリア)をサポートすることがある。
【０１１８】
本明細書で説明する1つまたは複数のワイヤレス通信システムは、同期動作または非同期動作をサポートすることがある。同期動作の場合、基地局は、類似のフレームタイミングを有することがあり、異なる基地局からの送信は、時間的にほぼ整合される場合がある。非同期動作の場合、基地局は、異なるフレームタイミングを有することがあり、異なる基地局からの送信は、時間的に整合されない場合がある。本明細書で説明する技法は、同期動作または非同期動作のいずれに使用されてもよい。
【０１１９】
本明細書で説明するダウンリンク送信は順方向リンク送信と呼ばれることもあり、アップリンク送信は逆方向リンク送信と呼ばれることもある。たとえば、図1のワイヤレス通信システム100を含む、本明細書で説明する各通信リンクは、1つまたは複数のキャリアを含んでもよく、各キャリアは、複数のサブキャリア(たとえば、異なる周波数の波形信号)で構成される信号であってもよい。
【０１２０】
添付の図面に関して本明細書に記載された説明は、例示的な構成について説明しており、実装される場合があるかまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。発明を実施するための形態は、説明する技法の理解を可能にするための具体的な詳細を含む。しかしながら、これらの技法は、これらの具体的な詳細を伴うことなく実践されてもよい。いくつかの事例では、説明した例の概念を不明瞭にすることを回避するために、よく知られている構造およびデバイスがブロック図の形態で示される。
【０１２１】
添付の図面では、類似の構成要素または特徴は、同じ参照ラベルを有する場合がある。さらに、同じタイプの様々な構成要素が、参照ラベルの後に、ダッシュおよび類似の構成要素を区別する第2のラベルを続けることによって区別されることがある。第1の参照ラベルのみが本明細書で使用される場合、説明は、第2の参照ラベルにかかわらず、同じ第1の参照ラベルを有する類似の構成要素のいずれにも適用可能である。
【０１２２】
本明細書で説明する情報および信号は、多種多様な技術および技法のいずれかを使用して表される場合がある。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１２３】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行されることがある。汎用プロセッサはマイクロプロセッサであってもよいが、代替として、プロセッサは任意の従来のプロセッサ、コントローラ、マイクロコントローラ、またはステートマシンであってもよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装されてもよい。
【０１２４】
本明細書で説明する機能は、ハードウェア、プロセッサによって実行されるソフトウェア、ファームウェア、またはそれらの任意の組合せとして実装されてもよい。プロセッサによって実行されるソフトウェアで実装される場合、機能は、1つまたは複数の命令またはコードとして、コンピュータ可読媒体上に記憶され、またはコンピュータ可読媒体を介して送信されてもよい。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装することができる。機能を実施する特徴はまた、異なる物理的位置において機能の部分が実装されるように分散されることを含めて、様々な位置に物理的に配置されてもよい。また、特許請求の範囲内を含めて本明細書で使用される場合、項目のリスト(たとえば、「における少なくとも1つ」または「における1つまたは複数」などの句が後置される項目のリスト)において使用される「または」は、たとえば、A、B、またはCにおける少なくとも1つのリストがAまたはBまたはCまたはABまたはACまたはBCまたはABC(すなわち、AおよびBおよびC)を意味するような包括的リストを示す。また、本明細書で使用される「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づいてもよい。言い換えれば、本明細書で使用される「〜に基づく」という句は、「〜に少なくとも部分的に基づく」という句と同様に解釈されるべきである。
【０１２５】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスできる任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用することができ、汎用コンピュータもしくは専用コンピュータまたは汎用プロセッサもしくは専用プロセッサによってアクセスすることができる任意の他の非一時的媒体を備えてもよい。また、任意の接続が、適正にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ここで、ディスク(disk)は、通常、データを磁気的に再生し、ディスク(disc)は、データをレーザーで光学的に再生する。上記の組合せも、コンピュータ可読媒体の範囲内に含まれる。
【０１２６】
本明細書における説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用されてもよい。したがって、本開示は、本明細書で説明する例および設計に限定されず、本明細書で開示された原理および新規の特徴と一致する最も広い範囲を与えられるべきである。
【符号の説明】
【０１２７】
100  ワイヤレス通信システム
105  基地局
110  地理的カバレージエリア
115  UE
125  通信リンク
130  コアネットワーク
132、134  バックホールリンク
200  デバイス
205  メモリ
210  コーディングマネージャ
215  トランシーバ
220、225  バス
230  エンコーダ
235  デコーダ
240  トランスミッタ
245  レシーバ
300-a、300-b  ポーラチャネルセット
301  ポーラチャネル
305  パンクチャドビット
310  凍結ビット
315  情報ビット
315-a、315-b  第1の情報ビット
320  パリティ検査ビット
400  ポーラチャネル信頼度プロット
405  情報ビット
410  凍結ビット
415  パリティ検査ビット
500  ポーラチャネル信頼度プロット
505  情報ビット
510  凍結ビット
515  パリティ検査ビット
600  プロセスフロー
630  エンコーダ
635  デコーダ
700  ブロック図
705  ワイヤレスデバイス
710  レシーバ
715  コーディングマネージャ
720  トランスミッタ
800  ブロック図
805  ワイヤレスデバイス
810  レシーバ
815  コーディングマネージャ
820  トランスミッタ
825  ビット識別器
830  情報ビット構成要素
835  パリティビット構成要素
840  符号化構成要素
845  符号語トランスミッタ
850  符号語構成要素
855  復号構成要素
900  ブロック図
915  コーディングマネージャ
920  ビット識別器
925  情報ビット構成要素
930  パリティビット構成要素
935  符号化構成要素
940  符号語トランスミッタ
945  符号語構成要素
950  復号構成要素
955  チャネル構成要素
1000  システム
1005  デバイス
1015  コーディングマネージャ
1020  プロセッサ
1025  メモリ
1030  ソフトウェア
1035  トランシーバ
1040  アンテナ
1045  I/Oコントローラ
1100  方法
1200  方法
【図１】
2020515143.tif 000003
【図２】
2020515143.tif 000004
【図３】
2020515143.tif 000005
【図４】
2020515143.tif 000006
【図５】
2020515143.tif 000007
【図６】
2020515143.tif 000008
【図７】
2020515143.tif 000009
【図８】
2020515143.tif 000010
【図９】
2020515143.tif 000011
【図１０】
2020515143.tif 000012
【図１１】
2020515143.tif 000013
【図１２】
2020515143.tif 000014
【国際調査報告】
2020515143.tif 000015
2020515143.tif 000016
2020515143.tif 000017